(57)【要約】本出願は、通信方法および通信装置を提供する。通信方法は、マスタノードによって、少なくとも１つの２次ノードから少なくとも１つの第１のメッセージを受信するステップであって、第１のメッセージは第１の情報を含み、第１の情報は、第１のメッセージを送信する２次ノードを介して伝送される第１のベアラの第１のデータのデータ量を示すために使用される、ステップと、マスタノードによって、第２のメッセージをコアネットワークに送信するステップであって、第２のメッセージは第２の情報を含み、第２の情報は、少なくとも１つの２次ノードを介して伝送される第１のベアラの第１のデータのデータ量を示すために使用される、ステップとを含み、これにより、データ量が正確に計算されることが可能である。
2020526081.tif 000002
【特許請求の範囲】
【請求項１】
マスタノードにより、２次ノードから第１のメッセージを受信するステップであって、前記第１のメッセージは第１の情報を含み、前記第１の情報は、前記２次ノードを介して伝送される第１のベアラのデータのデータ量を示すために使用される、ステップと、
前記マスタノードにより、コアネットワークに第２のメッセージを伝送するステップであって、前記第２のメッセージは第２の情報を含み、前記第２の情報はデータ量を示すために使用される、ステップと
を含む、通信方法。
【請求項２】
前記第１のベアラは、２次セルグループＳＣＧベアラまたは２次セルグループＳＣＧスプリットベアラである、請求項１に記載の方法。
【請求項３】
前記第１のメッセージは、前記第１のベアラのベアラ識別子をさらに含む、請求項１または２に記載の方法。
【請求項４】
前記第２のメッセージは、第１のベアラのベアラ識別子をさらに含む、請求項１から３のいずれか一項に記載の方法。
【請求項５】
前記データ量は、アップリンクデータ量およびダウンリンクデータ量のうちの少なくとも１つである、請求項１から４のいずれか一項に記載の方法。
【請求項６】
前記データ量は、アップリンクデータ量とダウンリンクデータ量との合計である、請求項１から４のいずれか一項に記載の方法。
【請求項７】
前記データ量は、パケットデータコンバージェンスプロトコルＰＤＣＰヘッダオーバーヘッド、無線リンク制御ＲＬＣヘッダオーバーヘッド、メディアアクセス制御ＭＡＣヘッダオーバーヘッド、およびサービスデータ適応プロトコルＳＤＡＰヘッダオーバーヘッドのいずれも含まない、請求項１から６のいずれか一項に記載の方法。
【請求項８】
前記第１のメッセージまたは第２のメッセージはタイムスタンプをさらに含み、前記タイムスタンプは前記データ量の開始時間と終了時間を示すために使用される、請求項１から７のいずれか一項に記載の方法。
【請求項９】
前記第２のメッセージは前記２次ノードの無線アクセス技術の識別子をさらに含む、請求項１から８のいずれか一項に記載の方法。
【請求項１０】
前記マスタノードにより、前記コアネットワークに前記第２のメッセージを伝送するステップは、
前記マスタノードにより、前記コアネットワークに周期的に前記第２のメッセージを伝送するステップを含む、請求項１から９のいずれか一項に記載の方法。
【請求項１１】
前記マスタノードにより、前記２次ノードに第３のメッセージを伝送するステップをさらに含み、前記第３のメッセージは、前記２次ノードに前記データ量を伝送することを要求するために使用される、請求項１から１０のいずれか一項に記載の方法。
【請求項１２】
前記第３のメッセージは、前記第１のベアラのベアラ識別子を含む、請求項１１に記載の方法。
【請求項１３】
前記マスタノードは、２次ノードハンドオーバ手順、２次ノード解放手順、２次ノード構成修正手順、またはマスタノードハンドオーバ手順において前記第１のメッセージを受信する、請求項１から１２のいずれか一項に記載の方法。
【請求項１４】
前記第２のメッセージは、前記第１のベアラのベアラタイプをさらに含む、請求項１から１３のいずれか一項に記載の方法。
【請求項１５】
２次ノードにより、前記２次ノードを介して伝送される第１のベアラのデータのデータ量を取得するステップと、
前記２次ノードにより、マスタノードに第１のメッセージを伝送するステップであって、前記第１のメッセージは第１の情報を含み、前記第１の情報は前記データ量を示すために使用される、ステップと
を含む、通信方法。
【請求項１６】
前記第１のベアラは、ＳＣＧベアラまたはＳＣＧスプリットベアラである、請求項１５に記載の方法。
【請求項１７】
前記第１のメッセージは、前記第１のベアラのベアラ識別子をさらに含む、請求項１５または１６に記載の方法。
【請求項１８】
前記２次ノードと端末との間の前記第１のベアラの伝送が停止した後、前記２次ノードは、前記第１のメッセージを前記マスタノードに伝送する、請求項１５から１７のいずれか一項に記載の方法。
【請求項１９】
前記データ量は、アップリンクデータ量およびダウンリンクデータ量のうちの少なくとも１つである、請求項１５から１８のいずれか一項に記載の方法。
【請求項２０】
前記データ量は、アップリンクデータ量とダウンリンクデータ量との合計である、請求項１５から１８のいずれか一項に記載の方法。
【請求項２１】
前記データ量は、ＰＤＣＰヘッダオーバーヘッド、ＲＬＣヘッダオーバーヘッド、ＭＡＣヘッダオーバーヘッド、およびＳＤＡＰヘッダオーバーヘッドのいずれも含まない、請求項１５から２０のいずれか一項に記載の方法。
【請求項２２】
前記第１のメッセージは、タイムスタンプをさらに含み、前記タイムスタンプは、前記データ量の開始時間および終了時間を示すために使用される、請求項１５から２１のいずれか一項に記載の方法。
【請求項２３】
前記２次ノードは、２次ノードハンドオーバ手順、２次ノード解放手順、２次ノード構成修正手順、またはマスタノードハンドオーバ手順において前記第１のメッセージを伝送する、請求項１５から２２のいずれか一項に記載の方法。
【請求項２４】
コアネットワークにより、マスタノードから第１のメッセージを受信するステップであって、前記第１のメッセージは第１の情報を含み、前記第１の情報は２次ノードを介して伝送される第１のベアラのデータのデータ量を示すために使用される、ステップと、
前記コアネットワークにより前記データ量を取得するステップと
を含む、通信方法。
【請求項２５】
前記第１のベアラは、ＳＣＧベアラまたはＳＣＧスプリットベアラである、請求項２４に記載の方法。
【請求項２６】
前記第１のメッセージは、前記第１のベアラのベアラ識別子をさらに含む、請求項２４または２５に記載の方法。
【請求項２７】
前記データ量は、アップリンクデータ量およびダウンリンクデータ量のうちの少なくとも１つである、請求項２４から２６のいずれか一項に記載の方法。
【請求項２８】
前記データ量は、アップリンクデータ量とダウンリンクデータ量との合計である、請求項２４から２７のいずれか一項に記載の方法。
【請求項２９】
前記データ量は、ＰＤＣＰヘッダオーバーヘッド、ＲＬＣヘッダオーバーヘッド、ＭＡＣヘッダオーバーヘッド、およびＳＤＡＰヘッダオーバーヘッドのいずれも含まない、請求項２４から２８のいずれか一項に記載の方法。
【請求項３０】
前記第１のメッセージは、タイムスタンプをさらに含み、前記タイムスタンプは前記データ量の開始時間および終了時間を示すために使用される、請求項２４から２９のいずれか一項に記載の方法。
【請求項３１】
前記第１のメッセージは、前記２次ノードの無線アクセス技術の識別子をさらに含む、請求項２４から３０のいずれか一項に記載の方法。
【請求項３２】
コアネットワークにより、前記マスタノードから前記第１のメッセージを受信するステップは、前記コアネットワークにより前記マスタノードから前記第１のメッセージを周期的に受信するステップを含む、請求項２４から３１のいずれか一項に記載の方法。
【請求項３３】
メモリおよびプロセッサを備えた通信装置であって、前記メモリはコンピュータプログラムを記憶するように構成され、前記プロセッサはメモリからコンピュータプログラムを呼び出してコンピュータプログラムを実行するように構成され、通信装置は請求項１から１４のいずれか一項に記載の方法。
【請求項３４】
メモリおよびプロセッサを備えた通信装置であって、前記メモリはコンピュータプログラムを記憶するように構成され、前記プロセッサは前記メモリから前記コンピュータプログラムを呼び出して前記コンピュータプログラムを実行することにより、前記通信装置が請求項１５から２３のいずれか一項に記載の方法を実行するように構成される、通信装置。
【請求項３５】
メモリおよびプロセッサを備えた通信装置であって、前記メモリはコンピュータプログラムを記憶するように構成され、前記プロセッサは前記メモリから前記コンピュータプログラムを呼び出して前記コンピュータプログラムを実行することにより、前記通信装置が請求項２４から３２のいずれか一項に記載の方法を実行するように構成される、通信装置。
【請求項３６】
コンピュータ記憶媒体であって、前記コンピュータ記憶媒体はコンピュータソフトウェア命令を記憶するように構成され、前記コンピュータソフトウェア命令が実行されると、請求項１から３２のいずれか一項に記載の方法が実装される、コンピュータ記憶媒体。
【請求項３７】
コンピュータプログラム製品であって、前記コンピュータプログラム製品はコンピュータ実行可能命令を含み、前記コンピュータ実行可能命令が実行されると、請求項１から３２のいずれか一項に記載の方法が実装される、コンピュータプログラム製品。
【請求項３８】
請求項３３に記載の通信装置と、請求項３４に記載の通信装置とを備える通信システム。
【請求項３９】
請求項３３に記載の通信装置と、請求項３５に記載の通信装置とを備える通信システム。
【発明の詳細な説明】
【技術分野】
【０００１】
本出願は、ワイヤレス通信技術の分野に関し、詳細には、通信方法および通信装置に関する。
【背景技術】
【０００２】
本出願は、それの全体が参照により本明細書に組み込まれる、２０１７年８月１１日に中国国家知識産権局で出願された「ＣＯＭＭＵＮＩＣＡＴＩＯＮ  ＭＥＴＨＯＤ  ＡＮＤ  ＣＯＭＭＵＮＩＣＡＴＩＯＮＳ  ＡＰＰＡＲＡＴＵＳ」と題する中国特許出願第２０１７１０６８７８０１．３号の優先権を主張する。
【０００３】
データ伝送スループットを改善するために、異なるアクセス技術をサポートする二重接続性、たとえば、マルチＲＡＴ二重接続性（Ｍｕｌｔｉ−ＲＡＴ  Ｄｕａｌ  Ｃｏｎｎｅｃｔｉｖｉｔｙ、ＭＲ−ＤＣ）およびロングタームエボリューション（ｌｏｎｇ  ｔｅｒｍ  ｅｖｏｌｕｔｉｏｎ、ＬＴＥ）−ワイヤレスローカルエリアネットワーク（ｗｉｒｅｌｅｓｓ  ｌｏｃａｌ  ａｒｅａ  ｎｅｔｗｏｒｋ、ＷＬＡＮ）インターワーキング（ＬＴＥ−ＷＬＡＮ  ｉｎｔｅｒｗｏｒｋｉｎｇ、ＬＷＩ）が導入される。
【０００４】
図１は、二重接続性をもつネットワークの概略図である。図１に示されているように、端末０１は、マスタノードＡおよび２次ノードＢの両方と通信し得る。マスタノードＡおよび２次ノードＢはコアネットワークＣに接続される。マスタノードＡおよび２次ノードＢのために使用されるアクセス技術は同じであるかまたは異なり得る。たとえば、マスタノードＡは発展型ノード（発展型ユニバーサル地上波無線アクセスネットワークノードＢ、ｅＮＢ）であり、２次ノードＢは新無線ノード（ｎｅｗ  ｒａｄｉｏ  ｎｏｄｅＢ、ｇＮＢ）であるか、またはマスタノードＡはｇＮＢであり、２次ノードＢはｅＮＢであるか、またはマスタノードＡはｅＮＢもしくはｇＮＢであり、２次ノードＢはワイヤレスローカルエリアネットワーク（ｗｉｒｅｌｅｓｓ  ｌｏｃａｌ  ａｒｅａ  ｎｅｔｗｏｒｋ、ＷＬＡＮ）デバイスであり、ＷＬＡＮデバイスは、ＷＬＡＮ終端（ＷＬＡＮ  ｔｅｒｍｉｎａｔｉｏｎ、ＷＴ）、アクセスコントローラ（ａｃｃｅｓｓ  ｃｏｎｔｒｏｌｌｅｒ、ＡＣ）、もしくはアクセスポイント（ａｃｃｅｓｓ  ｐｏｉｎｔ、ＡＰ）であり得る。コアネットワークは、４ＧコアネットワークＥＰＣ、または５Ｇコアネットワーク（５Ｇ  ｃｏｒｅ、５ＧＣ）であり得る。
【０００５】
図１のネットワークでは、端末０１のために２次ベアラまたは２次スプリットベアラが確立され得る。２次ベアラは、ＭＲ−ＤＣでは２次セルグループ（Ｓｅｃｏｎｄａｒｙ  Ｃｅｌｌ  Ｇｒｏｕｐ、ＳＣＧ）ベアラと呼ばれることがあり、ＬＷＩではＷＬＡＮ側に移動されるベアラ全体に対応する。２次スプリットベアラは、ＭＲ−ＤＣでは２次セルグループ（ＳＣＧ）スプリットベアラと呼ばれることがある。
【０００６】
ＭＲ−ＤＣの関係する内容については、たとえば、非特許文献１における関係する内容を参照されたい。ＬＷＩの関係する内容については、たとえば、非特許文献２における関係する内容を参照されたい。
【０００７】
図２は２次ベアラの概略図である。図２に示されているように、端末０１のためにコアネットワークＣと２次ノードＢとの間のユーザプレーン接続が確立され、２次ノードＢと端末０１との間のユーザプレーン接続が確立される。ダウンリンクデータがあるとき、コアネットワークＣは、ベアラのすべてのデータを２次ノードＢに送信し、次いで、２次ノードＢは、ベアラのすべてのデータを端末０１に送信する。アップリンクデータがあるとき、端末０１は、ベアラのすべてのデータを２次ノードＢに送信し、次いで、２次ノードＢは、ベアラのすべてのデータをコアネットワークＣに送信する。
【０００８】
図３は２次スプリットベアラの概略図である。図３に示されているように、端末０１のためにコアネットワークＣと２次ノードＢとの間のユーザプレーン接続が確立され、２次ノードＢと端末０１との間のユーザプレーン接続が確立され、マスタノードＡと端末０１との間のユーザプレーン接続が確立される。ダウンリンクデータがあるとき、コアネットワークＣは、ベアラのすべてのデータを２次ノードＢに送信し、２次ノードＢは、データの一部をマスタノードＡに送信し、マスタノードＡは、データのその一部を端末０１に送信し、２次ノードＢは、残りのデータを端末０１に送信する。アップリンクデータがあるとき、端末０１は、ベアラのデータの一部をマスタノードＡに送信し得、マスタノードＡは、データのその一部を２次ノードＢに送信し、端末０１は、ベアラの残りのデータを２次ノードＢに送信し、２次ノードＢは、ベアラの受信されたデータのすべてをコアネットワークＣに送信する。任意選択で、端末０１が、ベアラのすべてのデータをマスタノードＡに送信し、マスタノードＡが、ベアラのすべてのデータを２次ノードＢに送信することが構成され得るか、または端末０１が、ベアラのすべてのデータを２次ノードＢに送信することが構成され得る。
【０００９】
２次ベアラまたは２次スプリットベアラについて、ベアラの伝送されるデータ量をどのようにより正確に計数すべきかが、喫緊に解決される必要がある問題である。
【先行技術文献】
【非特許文献】
【００１０】
【非特許文献１】３ＧＰＰ  ＴＳ  ３７．３４０  Ｖ０．２．１中のセクション４
【非特許文献２】３ＧＰＰ  ＴＳ  ３６．３００  Ｖ１４．２．０中のセクション２２Ａ
【非特許文献３】３ＧＰＰ  ＴＳ  ３７．３４０  Ｖ０．２．１中のセクション１０．２．１中の図１０．２．１−１中のステップ１、２、５、７、および８
【非特許文献４】３ＧＰＰ  ＴＳ  ３７．３４０  Ｖ０．２．１中のセクション１０．２．１中の図１０．２．１−１中のステップ１１および１２
【非特許文献５】３ＧＰＰ  ＴＳ  ３７．３４０  Ｖ０．２．１中のセクション１０．３．１中の図１０．３．１−２中のステップ１、２、３、６、８、および９
【非特許文献６】３ＧＰＰ  ＴＳ  ３７．３４０  Ｖ０．２．１中のセクション１０．５．１中の図１０．５．１−１中のステップ１から３、６、および８ａから１４
【非特許文献７】３ＧＰＰ  ＴＳ  ３７．３４０  Ｖ０．２．１中のセクション１０．４．１中の図１０．４．１−１中のステップ１、４、５、および６
【非特許文献８】３ＧＰＰ  ＴＳ  ３７．３４０  Ｖ０．２．１中のセクション１０．７．１中の図１０．７．１−１中のステップ１から５、および１０から１７
【非特許文献９】３ＧＰＰ  ＴＳ  ３７．３４０  Ｖ０．２．１中のセクション４．２．２
【発明の概要】
【００１１】
本出願は、データ量をより正確に計算するための、通信方法および通信装置を提供する。
【００１２】
第１の態様によれば、本出願は、
マスタノードによって、少なくとも１つの２次ノードから少なくとも１つの第１のメッセージを受信するステップであって、第１のメッセージは第１の情報を含み、第１の情報は、第１のメッセージを送信する２次ノードを介して伝送される第１のベアラの第１のデータのデータ量を示すために使用される、ステップと、
マスタノードによって、第２のメッセージをコアネットワークに送信するステップであって、第２のメッセージは第２の情報を含み、第２の情報は、少なくとも１つの２次ノードを介して伝送される第１のベアラの第１のデータのデータ量を示すために使用される、ステップと
を含む、通信方法を提供する。
【００１３】
任意選択で、第１のベアラは、２次ベアラ、２次スプリットベアラ、またはマスタスプリットベアラである。
【００１４】
任意選択で、第２のメッセージは第１のベアラのベアラ識別子をさらに含むか、または第１のデータは第１のフローのデータであり、第２のメッセージは第１のフローの識別子をさらに含むか、または第１のデータは第１のセッションのデータであり、第２のメッセージは第１のセッションの識別子をさらに含む。
【００１５】
任意選択で、第１のメッセージは第１のベアラのベアラ識別子をさらに含むか、または第１のデータは第１のフローのデータであり、第１のメッセージは第１のフローの識別子をさらに含むか、または第１のデータは第１のセッションのデータであり、第１のメッセージは第１のセッションの識別子をさらに含む。
【００１６】
任意選択で、第１のデータのデータ量は、アップリンクデータ量およびダウンリンクデータ量、またはアップリンクデータ量とダウンリンクデータ量との和のうちの少なくとも１つである。
【００１７】
任意選択で、第１のデータのデータ量は、ＰＤＣＰレイヤ、ＲＬＣレイヤ、ＭＡＣレイヤ、またはＳＤＡＰレイヤのヘッダオーバーヘッドを含まない。
【００１８】
任意選択で、第１のメッセージまたは第２のメッセージはタイムスタンプをさらに含み、タイムスタンプは、データ量の開始時間および終了時間を示すために使用される。
【００１９】
任意選択で、第１のデータは、少なくとも１つの無線アクセス技術を使用することによって伝送され、データ量は、少なくとも１つの無線アクセス技術の各々を使用することによって伝送される第１のデータのデータ量を含み、第２のメッセージは、少なくとも１つの無線アクセス技術の識別子をさらに含む。
【００２０】
任意選択で、マスタノードは、第３のメッセージを２次ノードに送信し、第３のメッセージは、２次ノードを介して伝送される第１のベアラの第１のデータのデータ量を送信することを２次ノードに要求するために使用される。
【００２１】
任意選択で、第３のメッセージは第１のベアラのベアラ識別子を含むか、または第１のデータは第１のフローのデータであり、第３のメッセージは第１のフローの識別子を含むか、または第１のデータは第１のセッションのデータであり、第３のメッセージは第１のセッションの識別子を含む。
【００２２】
任意選択で、マスタノードは、２次ノードハンドオーバ手順、２次ノード解放手順、２次ノード構成修正手順、またはマスタノードハンドオーバ手順において第１のメッセージを受信する。
【００２３】
任意選択で、第２のメッセージは第１のベアラのベアラタイプをさらに含む。
【００２４】
第２の態様によれば、本出願は、
コアネットワーク中のネットワーク要素によって、マスタノードによって送信された第２のメッセージを受信するステップであって、第２のメッセージは第２の情報を含み、第２の情報は、少なくとも１つの２次ノードを介して伝送される第１のベアラの第１のデータのデータ量を示すために使用される、ステップと、
第１のベアラの総データ量および第１のデータのデータ量に基づいてコアネットワーク中のネットワーク要素によって、マスタノードおよび２次ノードを介して伝送される第１のベアラのデータ量を取得するステップと
を含む、通信方法を提供する。
【００２５】
第３の態様によれば、本出願は、
２次ノードによって、２次ノードを介して伝送される第１のベアラの第１のデータのデータ量を取得するステップと、
２次ノードによって、第１のメッセージをマスタノードに送信するステップであって、第１のメッセージは第１の情報を含み、第１の情報は、少なくとも１つの２次ノードを介して伝送される第１のベアラの第１のデータのデータ量を示すために使用される、ステップと
を含む、通信方法を提供する。
【００２６】
任意選択で、第１のベアラは、２次ベアラ、２次スプリットベアラ、またはマスタスプリットベアラである。
【００２７】
任意選択で、第１のメッセージは第１のベアラのベアラ識別子をさらに含むか、または第１のデータは第１のフローのデータであり、第１のメッセージは第１のフローの識別子をさらに含むか、または第１のデータは第１のセッションのデータであり、第１のメッセージは第１のセッションの識別子をさらに含む。
【００２８】
任意選択で、２次ノードは、２次ノードハンドオーバ手順、２次ノード解放手順、２次ノード構成修正手順、またはマスタノードハンドオーバ手順において第１のメッセージを送信する。
【００２９】
第４の態様によれば、本出願は、
第１の２次ベアラまたは第１の２次スプリットベアラを確立したとき、マスタノードによって、第１のデータを２次ノードに送信するステップと、
マスタノードによって、第１のメッセージをコアネットワークに送信するステップであって、第１のメッセージは第１の情報を含み、第１の情報は、第１のデータのデータ量を示すために使用される、ステップと
を含む、通信方法を提供する。
【００３０】
任意選択で、第１のメッセージは、第１の２次ベアラまたは第１の２次スプリットベアラのベアラ識別子をさらに含む。
【００３１】
任意選択で、第１のデータは第１のフローのデータであり、第１のメッセージは第１のフローの識別子をさらに含む。
【００３２】
任意選択で、第１のデータは第１のセッションのデータであり、第１のメッセージは第１のセッションの識別子をさらに含む。
【００３３】
任意選択で、データ量は、アップリンクデータ量およびダウンリンクデータ量、またはアップリンクデータ量とダウンリンクデータ量との和のうちの少なくとも１つである。
【００３４】
任意選択で、データ量は、ＰＤＣＰレイヤ、ＲＬＣレイヤ、ＭＡＣレイヤ、またはＳＤＡＰレイヤのヘッダオーバーヘッドを含まない。
【００３５】
任意選択で、第１のメッセージは２次ノードの無線アクセス技術をさらに含む。
【００３６】
任意選択で、第１のメッセージは、２次ベアラまたは２次スプリットベアラのベアラタイプをさらに含む。
【００３７】
第５の態様によれば、本出願は、
コアネットワーク中のネットワーク要素によって、マスタノードによって送信された第１のメッセージを受信するステップであって、第１のメッセージは第１の情報を含み、第１の情報は、マスタノードが第１の２次ベアラまたは第１の２次スプリットベアラを確立したとき、マスタノードによって２次ノードに送信される第１のデータのデータ量を示すために使用される、ステップ
を含む、通信方法を提供する。
【００３８】
第６の態様によれば、本出願は、
マスタノードによって、マスタノードを介して伝送される第１の２次スプリットベアラの第１のデータのデータ量を取得するステップと、
マスタノードによって、第１のメッセージをコアネットワークに送信するステップであって、第１のメッセージは第１の情報を含み、第１の情報は、データ量を示すために使用される、ステップと
を含む、通信方法を提供する。
【００３９】
任意選択で、第１のメッセージは第１の２次スプリットベアラのベアラ識別子をさらに含む。
【００４０】
任意選択で、第１のデータは第１のフローのデータであり、第１のメッセージは第１のフローの識別子をさらに含む。
【００４１】
任意選択で、第１のデータは第１のセッションのデータであり、第１のメッセージは第１のセッションの識別子をさらに含む。
【００４２】
任意選択で、第１のデータのデータ量は、アップリンクデータ量およびダウンリンクデータ量、またはアップリンクデータ量とダウンリンクデータ量との和のうちの少なくとも１つである。
【００４３】
任意選択で、第１のデータのデータ量は、ＰＤＣＰレイヤ、ＲＬＣレイヤ、ＭＡＣレイヤ、またはＳＤＡＰレイヤのヘッダオーバーヘッドを含まない。
【００４４】
任意選択で、第１のメッセージはタイムスタンプをさらに含み、タイムスタンプは、第１のデータのデータ量の開始時間および終了時間を示すために使用される。
【００４５】
任意選択で、第１のメッセージは第１の２次スプリットベアラのベアラタイプをさらに含む。
【００４６】
任意選択で、マスタノードは、第１の２次スプリットベアラを確立したとき、移動されるデータを２次ノードに送信する場合、マスタノードは第２の情報をコアネットワークに送信し、第２の情報は、移動されるデータのデータ量を示すために使用される。
【００４７】
第７の態様によれば、本出願は、
コアネットワーク中のネットワーク要素によって、マスタノードによって送信された第１のメッセージを受信するステップであって、第１のメッセージは第１の情報を含み、第１の情報は、マスタノードを介して伝送される第１の２次スプリットベアラの第１のデータのデータ量を示すために使用される、ステップと、
第１の２次スプリットベアラの総データ量および第１のデータのデータ量に基づいてコアネットワーク中のネットワーク要素によって、マスタノードおよび２次ノードを介して伝送される第１の２次スプリットベアラのデータ量を計算するステップと
を含む、通信方法を提供する。
【００４８】
第８の態様によれば、本出願は、メモリおよびプロセッサを含む、通信装置を提供する。メモリは、コンピュータプログラムを記憶するように構成され、プロセッサは、メモリからコンピュータプログラムを呼び出し、コンピュータプログラムを走らせるように構成され、それにより、通信装置は、第１の態様、第４の態様、または第６の態様による方法を実施する。
【００４９】
第９の態様によれば、本出願は、メモリおよびプロセッサを含む、通信装置を提供する。メモリは、コンピュータプログラムを記憶するように構成され、プロセッサは、メモリからコンピュータプログラムを呼び出し、コンピュータプログラムを走らせるように構成され、それにより、通信装置は、第２の態様、第５の態様、または第７の態様による方法を実施する。
【００５０】
第１０の態様によれば、本出願は、メモリおよびプロセッサを含む、コアネットワーク中のネットワーク要素を提供する。メモリは、コンピュータプログラムを記憶するように構成され、プロセッサは、メモリからコンピュータプログラムを呼び出し、コンピュータプログラムを走らせるように構成され、それにより、通信装置は第３の態様による方法を実施する。
【００５１】
第１１の態様によれば、本出願の実施形態は、第８の態様による通信装置によって使用されるコンピュータソフトウェア命令を記憶するように構成された、コンピュータ記憶媒体を提供し、コンピュータソフトウェア命令は、第１の態様から第１０の態様による方法を実施するために設計されたプログラムを含む。
【００５２】
第１２の態様によれば、本出願は、命令を含むコンピュータプログラム製品をさらに提供する。コンピュータプログラム製品はコンピュータ実行可能命令を含み、命令がコンピュータ上で走らされたとき、コンピュータは、第１の態様から第１０の態様による方法を実施することを可能にされる。
【００５３】
第１３の態様によれば、本出願はチップシステムをさらに提供する。チップシステムは、第１の態様から第１０の態様における機能を実装する際に端末デバイスをサポートするように構成された、プロセッサを含む。可能な設計では、チップシステムはメモリをさらに含み、メモリは、通信装置に必要なプログラム命令およびデータを記憶するように、たとえば、第１の態様から第１０の態様による方法におけるデータまたは情報を記憶するように構成される。チップシステムは、チップを含み得るか、またはチップおよび別の個別デバイスを含み得る。
【図面の簡単な説明】
【００５４】
本出願における技術的解決策についてより明確に説明するために、以下で、実施形態について説明するために必要とされる添付の図面について手短に説明する。明らかに、以下の説明における添付の図面は本発明のいくつかの実施形態を示すものにすぎず、当業者は、創造的な努力なしにこれらの添付の図面から他の図面を導き得る。
【００５５】
【図１】本出願による二重接続性をもつネットワークの概略図である。
【図２】本出願による２次ベアラの概略図である。
【図３】本出願による２次スプリットベアラの概略図である。
【図４】本出願による二重接続性の適用シナリオの概略図である。
【図５】本出願によるＳＣＧスプリットベアラ中のデータ量を計算するための方法のフローチャートである。
【図６】本出願による、ＳＣＧスプリットベアラまたはＳＣＧベアラが確立されたとき、データ量を計算するための方法のフローチャートである。
【図７】本出願による、ＳＣＧスプリットベアラまたはＳＣＧベアラが確立されたとき、データ量を計算するための別の方法のフローチャートである。
【図８ａ】本出願によるＳＣＧスプリットベアラまたはＳＣＧベアラ中のデータ量を計算するための方法のフローチャートである。
【図８ｂ】本出願によるＳＣＧベアラ中のデータフロー方向の概略図である。
【図９】本出願によるＳＣＧスプリットベアラまたはＳＣＧベアラ中のデータ量を計算するための方法のフローチャートである。
【図１０】本出願によるＳＣＧスプリットベアラまたはＳＣＧベアラ中のデータ量を計算するための方法のフローチャートである。
【図１１】本出願によるＳＣＧスプリットベアラまたはＳＣＧベアラ中のデータ量を計算するための方法のフローチャートである。
【図１２ａ】本出願によるＳＣＧスプリットベアラまたはＳＣＧベアラ中のデータ量を計算するための方法のフローチャートである。
【図１２ｂ】本出願による通信装置の図である。
【図１３】本出願による別の通信装置の図である。
【図１４】本出願によるマスタスプリットベアラの概略図である。
【発明を実施するための形態】
【００５６】
以下で、本出願における添付の図面を参照しながら本出願の技術的解決策について説明する。
【００５７】
図１に示されているネットワークでは、２次ベアラのシナリオにおいて、コアネットワークＣは、２次ベアラが確立された後、コアネットワークＣと２次ノードＢとの間で伝送されるデータ量について知り得るが、２次ベアラを確立する処理においてマスタノードＡが伝送のためにデータを２次ノードＢに転送するかどうかを知らず、結果的に、コアネットワークＣによってそれについて知られる２次ノードＢを介して伝送されるデータ量は不正確である。加えて、２次スプリットベアラのシナリオにおいて、コアネットワークＣは、２次スプリットベアラの総データ量について知り得るが、マスタノードＡおよび２次ノードＢの各々を介して伝送されるデータ量について知ることができない。
【００５８】
２次ベアラまたは２次スプリットベアラのデータ量をより正確に計数するために、本出願の実施形態は以下の３つの解決策を提供する。
【００５９】
解決策１：２次スプリットベアラのシナリオにおいて、マスタノードＡは、マスタノードＡに対してスプリットされたベアラのデータ量を報告する。この解決策によれば、コアネットワークは、マスタノードＡに対してスプリットされたベアラのデータ量を使用することによって、２次ノードＢを介して伝送されるベアラのデータ量について知り得、それにより、コアネットワークは、異なるノードを介して伝送されるベアラのデータ量について別々に知り、それにより、データ量をより正確に計数し得る。
【００６０】
解決策２：２次ベアラまたは２次スプリットベアラのシナリオにおいて、マスタノードＡは、２次ベアラまたは２次スプリットベアラを確立する処理において、マスタノードＡによって２次ノードＢに送信されるデータ量をコアネットワークＣに報告する。この解決策によれば、コアネットワークＣは、２次ノードＢを介して伝送されるベアラのデータ量を補正して、２次ノードを介して伝送されるベアラのデータ量を正しく取得し、それにより、データ量を正確に計数し得る。
【００６１】
解決策３：２次ベアラまたは２次スプリットベアラのシナリオにおいて、２次ノードＢは、２次ノードＢを介して伝送されるベアラのデータ量をマスタノードＡに送信し、マスタノードＡは、データ量をコアネットワークに送信する。この解決策によれば、コアネットワークは、２次ノードＢを介して伝送されるベアラのデータ量を使用することによって、マスタノードＡを介して伝送されるベアラのデータ量について知り、それにより、データ量を正確に計数し得る。
【００６２】
加えて、上記の解決策１から３では、マスタノードＡと２次ノードＢのアクセス技術が異なるとき、異なるアクセス技術を使用することによって伝送されるベアラのデータ量について知られ、それにより、データ量がより正確に計数されることが可能である。
解決策１
【００６３】
解決策１について、異なる例を参照しながら以下で説明される。
【００６４】
例１：図４は、図１に示されているネットワークの適用シナリオを示す。図４では、マスタノードＡはｅＮＢ０１であり、２次ノードＢはｇＮＢ０１であり、コアネットワークＣはＥＰＣまたは５ＧＣである。ネットワークは、端末０１のためにＳＣＧスプリットベアラを確立する。
【００６５】
本出願のこの実施形態では、５ＧＣは、セッション（ｓｅｓｓｉｏｎ）およびフロー（ｆｌｏｗ）をサポートし、具体的には、５ＧＣは、データが属するフローまたはセッションを識別することができ、セッションは１つまたは複数のフローを含み得ることに留意されたい。ＥＰＣは、ベアラをサポートし、具体的には、ＥＰＣは、データが属するベアラを識別することができる。技術の発展とともに、５ＧＣは、ベアラをさらにサポートする可能性があり、ＥＰＣは、フローおよびセッションをさらにサポートする可能性がある。これは本出願では限定されない。
【００６６】
図５に示されているように、
【００６７】
Ｓ５０１からＳ５０４は、ＳＣＧスプリットベアラのシナリオにおけるＳＣＧスプリットベアラのダウンリンクデータの伝送処理を示す。ダウンリンクデータの伝送処理において、コアネットワークＣは、ＳＣＧスプリットベアラのデータＡを端末０１に送信する必要があり、ｇＮＢ０１は、端末０１に送信するために、ｅＮＢ０１に対して、たとえば、データＡの一部、データＡ−１をスプリットし得る。
【００６８】
Ｓ５０１：コアネットワークＣが、ＳＣＧスプリットベアラのデータＡをｇＮＢ０１に送信する。
【００６９】
Ｓ５０２：ｇＮＢ０１が、データＡ−１、すなわち、データＡの一部をｅＮＢ０１に送信する。
【００７０】
Ｓ５０３：ｅＮＢ０１が、データＡ−１を端末０１に送信する。
【００７１】
Ｓ５０４：ｇＮＢ０１が、データＡ−２、すなわち、データＡの他の一部を端末０１に送信する。
【００７２】
Ｓ５０５からＳ５０８は、ＳＣＧスプリットベアラのシナリオにおけるＳＣＧスプリットベアラのアップリンクデータの伝送処理を示す。アップリンクデータの伝送処理において、端末０１は、ＳＣＧスプリットベアラのデータＢをコアネットワークＣに送信する必要があり、端末０１は、ｇＮＢ０１に送信するために、ｅＮＢ０１に対して、データＢの一部、たとえば、データＢ−１をスプリットし得る。
【００７３】
Ｓ５０５：端末０１が、データＢ−１、すなわち、データＢの一部をｅＮＢ０１に送信する。
【００７４】
Ｓ５０６：ｅＮＢ０１が、データＢ−１をｇＮＢ０１に送信する。
【００７５】
Ｓ５０７：端末０１が、データＢ−２、すなわち、データＢの他の一部をｇＮＢ０１に送信する。
【００７６】
Ｓ５０８：ｇＮＢ０１が、データＢをＥＰＣ０１に送信する。
【００７７】
Ｓ５０９からＳ５１１によれば、ＥＰＣ０１は、ｅＮＢ０１を介して伝送されるＳＣＧスプリットベアラのデータのデータ量と、ｇＮＢ０１を介して伝送されるＳＣＧスプリットベアラのデータのデータ量とを別々に取得し得る。
【００７８】
Ｓ５０９：ｅＮＢ０１が、ｅＮＢ０１を介して伝送されるＳＣＧスプリットベアラのデータのデータ量（以下でデータ量Ｍとして表される）を計数する。
【００７９】
ｇＮＢ０１を介して伝送されるＳＣＧスプリットベアラのデータのデータ量は、以下でデータ量Ｓとして表される。
【００８０】
任意選択で、データ量は、アップリンク／ダウンリンクグラニュラリティに基づいて報告され得る。データ量Ｍは、データＡ−１のデータ量、およびデータＢ−１のデータ量のうちの少なくとも１つのデータ量である。任意選択で、データ量Ｍは、データＡ−１のデータ量と、データＢ−１のデータ量との和であり得る。
【００８１】
データ量は、リアルタイムに、周期的に、または（たとえば、ネットワークがいくつかの特定の手順を開始する）イベントによってトリガされると計数され得ることに留意されたい。これは本出願のこの実施形態では限定されない。
【００８２】
Ｓ５１０：ｅＮＢ０１が、第１のメッセージをコアネットワークＣに送信し、第１のメッセージが第１の情報を含み、第１の情報が、データ量Ｍを示すために使用される。
【００８３】
コアネットワークＣが、ｅＮＢ０１によって報告されるデータ量Ｍが対応するベアラ、セッション、またはフローについて知るのを助けるために、データ量ＭをコアネットワークＣに報告するとき、ｅＮＢ０１は、ネットワーク要件に従って、データ量Ｍに対応するベアラ識別子、セッション識別子、またはフロー識別子を含め得る。たとえば、第１の情報は、データ量Ｍに対応するベアラ識別子、セッション識別子、またはフロー識別子をさらに含み得る。特に、ベアラ、セッション、またはフローに対応するデータ量を報告することは、コアネットワークＣによってｅＮＢ０１に示され得る。
【００８４】
Ｓ５１１：コアネットワークＣが、データ量Ｍおよびデータ量Ｓを別々に取得する。
【００８５】
任意選択で、データ量Ｓは、データＡ−２のデータ量、およびデータＢ−１のデータ量のうちの少なくとも１つのデータ量であり得る。任意選択で、データ量Ｍは、データＡ−２のデータ量と、データＢ−２のデータ量との和であり得る。
【００８６】
コアネットワークＣは、データＡのデータ量について知り得る。したがって、コアネットワークＣは、データＡのデータ量およびデータＡ−１のデータ量に基づいてデータＡ−２のデータ量を取得し得る。データＡ−２のデータ量は、データＡのデータ量−データＡ−１のデータ量に等しい。
【００８７】
コアネットワークＣは、データＢのデータ量について知り得る。したがって、コアネットワークＣは、データＢのデータ量およびデータＢ−１のデータ量に基づいてデータＢ−２のデータ量を取得し得る。データＢ−２のデータ量は、データＢのデータ量−データＢ−１のデータ量に等しい。
【００８８】
コアネットワークＣは、データＡのデータ量とデータＢのデータ量との和について知り得る。したがって、コアネットワークＣは、データＡのデータ量とデータＢのデータ量との和、およびデータＡ−１のデータ量とデータＢ−１のデータ量との和に基づいて、データＡ−２のデータ量とデータＢ−２のデータ量との和を取得し得る。データＡ−２のデータ量とデータＢ−２のデータ量との和は、データＡのデータ量とデータＢのデータ量との和−データＡ−１のデータ量とデータＢ−１のデータ量との和に等しい。
【００８９】
ｅＮＢ０１がデータ量をコアネットワークＣに報告する時（たとえば、Ｓ５１０）に関し、以下の任意選択の実装がある。
【００９０】
第１の任意選択の実装では、ｅＮＢ０１は、第１のメッセージをコアネットワークＣに周期的に送信し得る。周期は、ｇＮＢ０１もしくはｅＮＢ０１によって決定され得るか、またはコアネットワークＣが周期をｅＮＢ０１に送信する。任意選択で、第１のメッセージを介して報告されるデータ量Ｍは、現在の周期内にｅＮＢ０１を介して伝送されるＳＣＧスプリットベアラのデータ量、またはＳＣＧスプリットベアラが確立された後、ｅＮＢ０１を介して伝送されるＳＣＧスプリットベアラの累積されたデータ量であり得る。
【００９１】
第２の任意選択の実装では、ｅＮＢ０１は、ＳＣＧスプリットベアラのデータ量を報告するためのコアネットワークＣからの要求を受信した後、第１のメッセージをコアネットワークＣに送信し得る。任意選択で、第１のメッセージを介して報告されるデータ量Ｍは、コアネットワークＣの以前の要求と現在の要求との間の持続時間中にｅＮＢ０１を介して伝送されるＳＣＧスプリットベアラのデータ量、またはＳＣＧスプリットベアラが確立された後、ｅＮＢ０１を介して伝送されるＳＣＧスプリットベアラの累積されたデータ量であり得る。
【００９２】
第３の任意選択の実装では、ｅＮＢ０１とコアネットワークＣとの間のインターフェースが解放されたとき、またはｅＮＢ０１とコアネットワークＣとの間の接続が中断されたとき、またはｅＮＢ０１のベアラ非アクティブ化手順において、ｅＮＢ０１は、第１のメッセージを介してデータ量Ｍを報告し得る。たとえば、コアネットワークが５ＧＣである場合、ｅＮＢ０１とコアネットワークＣとの間のＮＧインターフェースが解放されたとき、またはＰＤＵセッションリソース解放手順において、ｅＮＢ０１は、第１のメッセージを介してデータ量Ｍを報告し得る。任意選択で、第１のメッセージは、上記の手順における既存のメッセージであり得るか、または新たに追加されたメッセージであり得る。
【００９３】
上記の３つの実装のうちの１つまたは複数は、ネットワークにおいてすべて展開され得ることに留意されたい。
【００９４】
任意選択で、第１のメッセージは、データ量Ｍに対応するベアラのベアラタイプをさらに含み得る（たとえば、ＳＣＧスプリットベアラのベアラタイプはＳＣＧスプリットベアラである）。
【００９５】
任意選択の設計では、コアネットワークＣがデータ量を計数するのを助けるために、Ｓ５１０における第１のメッセージはタイムスタンプをさらに含み、タイムスタンプは、Ｓ５０９においてｅＮＢ０１を介して伝送されるデータ量の、ｅＮＢ０１によって生成される、開始時間および終了時間を示すために使用される。
【００９６】
この例および以下の例では、コアネットワーク（たとえば、ネットワーク要素サービングゲートウェイ（ｓｅｒｖｉｎｇ  ｇａｔｅｗａｙ、ＳＧＷ）、またはコアネットワークのパケットデータネットワークゲートウェイ（ｐａｃｋｅｔ  ｄａｔａ  ｎｅｔｗｏｒｋ  ｇａｔｅｗａｙ、ＰＧＷ））は、報告されるデータ量に対応するベアラ識別子、タイムスタンプ、および２次ノードの無線アクセス技術を使用することによって（たとえば、ベアラグラニュラリティに基づいて、時間グラニュラリティに基づいて、または無線アクセス技術グラニュラリティに基づいて）より多くの次元でデータ量を計数し、それにより、データ量をより正確に計数することができる。さらに、コアネットワークは、多次元データ量計数に基づいて多次元課金を実装することができる。
【００９７】
任意選択の設計では、Ｓ５０９におけるデータ量の計数は、データヘッダオーバーヘッド、たとえば、パケットデータコンバージェンスプロトコル（ｐａｃｋｅｔ  ｄａｔａ  ｃｏｎｖｅｒｇｅｎｃｅ  ｐｒｏｔｏｃｏｌ、ＰＤＣＰ）レイヤ、無線リンク制御（ｒａｄｉｏ  ｌｉｎｋ  ｃｏｎｔｒｏｌ、ＲＬＣ）レイヤ、メディアアクセス制御（ｍｅｄｉａ  ａｃｃｅｓｓ  ｃｏｎｔｒｏｌ、ＭＡＣ）レイヤ、またはサービスデータ適応プロトコル（ｓｅｒｖｉｃｅ  ｄａｔａ  ａｄａｐｔａｔｉｏｎ  ｐｒｏｔｏｃｏｌ、ＳＤＡＰ）レイヤなど、プロトコルレイヤのヘッダオーバーヘッドを除外し得る。この設計によれば、実際のサービスのデータ量が正確に計算されることが可能であり、ユーザエクスペリエンスはより良好である。
【００９８】
任意選択の設計では、処理は、ＳＣＧスプリットベアラを確立する処理においてｅＮＢ０１によってコアネットワークＣに、ｇＮＢ０１に送信されるデータのデータ量を送信するステップをさらに含み得る。詳細については、以下の解決策２における内容を参照されたい。この設計によれば、コアネットワークＣは、２次ノードを介して伝送されるＳＣＧスプリットベアラのデータのデータ量を補正し、それにより、データ量をより正確に計数することができる。
【００９９】
任意選択の設計では、データ量をより正確に計数するために、データ量は、セッションまたはフローグラニュラリティに基づいて計数され得る。マスタノードおよび２次ノードは、データが属するフロー（ｆｌｏｗ）またはセッション（ｓｅｓｓｉｏｎ）について知り得る。たとえば、セッションはパケットデータユニット（ｐａｃｋｅｔ  ｄａｔａ  ｕｎｉｔ、ＰＤＵ）セッションと呼ばれることもある。１つのセッションは１つまたは複数のフローを含み得る。たとえば、データＡおよびデータＢは、セッションＡのデータである。セッションＡは、フロー１およびフロー２を含む。データＡ−１は、フロー１のデータの一部（略してデータＡ−１−ｆ１と呼ばれる）およびフロー２のデータの一部（略してデータＡ−１−ｆ２と呼ばれる）を含み得る。データＡ−２は、フロー１のデータの一部（略してデータＡ−２−ｆ１と呼ばれる）およびフロー２のデータの一部（略してデータＡ−２−ｆ２と呼ばれる）を含み得る。データＢ−１は、フロー１のデータの一部（略してデータＢ−１−ｆ１と呼ばれる）およびフロー２のデータの一部（略してデータＢ−１−ｆ２と呼ばれる）を含み得る。データＢ−２は、フロー１のデータの一部（略してデータＢ−２−ｆ１と呼ばれる）およびフロー２のデータの一部（略してデータＢ−２−ｆ２と呼ばれる）を含み得る。
【０１００】
任意選択で、ネットワーク要件に従って、Ｓ５０９において、ｅＮＢ０１は、フローグラニュラリティまたはセッショングラニュラリティにおいてデータ量を計数し得る。たとえば、ｅＮＢ０１を介して伝送されるＳＣＧスプリットベアラによって搬送されるフロー１のアップリンクデータ量およびダウンリンクデータ量、もしくはアップリンクデータ量とダウンリンクデータ量との和のうちの少なくとも１つが計数されるか、またはｅＮＢ０１を介して伝送されるＳＣＧスプリットベアラによって搬送されるセッションＡのアップリンクデータ量およびダウンリンクデータ量、もしくはアップリンクデータ量とダウンリンクデータ量との和のうちの少なくとも１つが計数される。
【０１０１】
任意選択で、ネットワーク要件に従って、Ｓ５１０において、ｅＮＢ０１によって報告されるデータ量Ｍは、フローグラニュラリティにおけるデータ量、またはセッショングラニュラリティにおけるデータ量であり得る。データ量Ｍを報告するとき、ｅＮＢ０１は、データ量Ｍに対応するフロー識別子およびセッション識別子のうちの（たとえば、Ｓ５１０において第１のメッセージ中で搬送される）少なくとも１つをさらに報告し得る。たとえば、データ量Ｍは、フロー１のダウンリンクデータ量（たとえば、データＡ−１−ｆ１のデータ量）であり、したがって、フロー１のフロー識別子が報告され、任意選択で、フロー１に対応するセッションＡのセッション識別子がさらに報告され得、データ量Ｍは、フロー２のアップリンクデータ量であり（たとえば、データＢ−１−ｆ２のデータ量、したがって、フロー２のフロー識別子が報告され得、任意選択で、フロー２に対応するセッションＡのセッション識別子がさらに報告され得）、データ量Ｍは、セッションＡのダウンリンクデータ量であり（たとえば、データＡ−１のデータ量、したがって、セッションＡのセッション識別子が報告され）、データ量Ｍは、セッションＡのアップリンクデータ量である（たとえば、データＢ−１のデータ量、しがたって、セッションＡのセッション識別子が報告される）。
【０１０２】
ＳＣＧスプリットベアラにおいて、ｅＮＢ０１を介して伝送されるＳＣＧスプリットベアラのデータ量は、ｅＮＢ０１によって報告され、したがって、コアネットワークＣは、ＳＣＧスプリットベアラの総データ量、およびｅＮＢ０１を介して伝送されるＳＣＧスプリットベアラのデータ量に基づいて、ｇＮＢ０１を介して伝送されるＳＣＧスプリットベアラのデータ量を計算することができ、しがたって、コアネットワークＣは、ｅＮＢ０１を介して伝送されるＳＣＧスプリットベアラのデータのデータ量、およびｇＮＢ０１を介して伝送されるＳＣＧスプリットベアラのデータのデータ量について別々に知り得る。加えて、ｅＮＢ０１とｇＮＢ０１との無線アクセス技術は異なる。したがって、コアネットワークＣは、異なる無線アクセス技術を使用することによって伝送されるＳＣＧスプリットベアラのデータ量について別々に知り、それにより、正確なデータ量計算を実装ことができる。
【０１０３】
解決策１は、２次スプリットベアラの別の適用シナリオにも適用可能であることに留意されたい。たとえば、マスタノードＡはｇＮＢであり、２次ノードＢはｅＮＢであり、コアネットワークＣはＥＰＣもしくは５ＧＣであるか、またはマスタノードＡはｅＮＢであり、２次ノードＢはＷＴであり、コアネットワークＣはＥＰＣもしくは５ＧＣであるか、またはマスタノードＡはｇＮＢであり、２次ノードＢはＷＴであり、コアネットワークＣはＥＰＣもしくは５ＧＣである。これは本出願のこの実施形態では限定されない。
【０１０４】
解決策１において提供される方法について、マスタノード側の観点およびコアネットワーク側の観点から別々に以下で説明される。
【０１０５】
以下は、マスタノード側の観点から説明される解決策１の方法である。方法Ｍ１は以下のステップを含む。
【０１０６】
Ｍ１０１：マスタノードが、マスタノードを介して伝送される２次スプリットベアラのデータのデータ量に関する情報を取得する。
【０１０７】
Ｍ１０１の関係する説明については、Ｓ５０９の関係する内容を参照されたい。
【０１０８】
Ｍ１０２：マスタノードが、第１のメッセージをコアネットワークに送信し、第１のメッセージが第１の情報を含み、第１の情報が、マスタノードを介して伝送される２次スプリットベアラのデータのデータ量に関する情報を示すために使用される。
【０１０９】
Ｍ１０２の関係する説明については、Ｓ５１０の関係する内容を参照されたい。
【０１１０】
任意選択で、方法Ｍ１は、Ｍ１０３：マスタノードが、第２の情報をコアネットワークに送信し、第２の情報が、２次スプリットベアラを確立する処理においてマスタノードによって２次ノードに送信されるデータのデータ量を示すために使用される、をさらに含む。Ｍ１０３によれば、コアネットワークは、２次スプリットベアラのデータのデータ量を補正し、それにより、データ量をより正確に計数し得る。
【０１１１】
以下は、コアネットワーク側の観点から説明される解決策１の方法である。方法Ｍ２は以下のステップを含む。
【０１１２】
Ｍ２０１：コアネットワーク中のネットワーク要素が、マスタノードから第１のメッセージを受信し、第１のメッセージが第１の情報を含み、第１の情報が、マスタノードを介して伝送される２次スプリットベアラのデータのデータ量を示すために使用される。
【０１１３】
Ｍ２０１の関係する内容については、Ｓ５０９の関係する内容を参照されたい。
【０１１４】
Ｍ２０２：コアネットワーク中のネットワーク要素が、２次スプリットベアラのデータのデータ量、およびマスタノードを介して伝送される２次スプリットベアラのデータのデータ量に基づいて、２次ノードを介して伝送される２次スプリットベアラのデータのデータ量に関する情報を取得する。
【０１１５】
Ｍ２０２の関係する説明については、Ｓ５１０の関係する内容を参照されたい。
【０１１６】
任意選択で、方法Ｍ２は、コアネットワーク中のネットワーク要素によって、マスタノードから第２の情報を受信することであって、第２の情報が、２次スプリットベアラを確立する処理においてマスタノードによって２次ノードに送信されるデータのデータ量を示すために使用される、受信することをさらに含む。Ｍ１０３によれば、コアネットワーク要素中のネットワーク要素は、２次スプリットベアラのデータのデータ量を補正し、それにより、データ量をより正確に計数し得る。
【０１１７】
方法Ｍ１および方法Ｍ２に関係する任意選択の設計および実装については、上記の例１の関係する内容を参照されたい。これは本明細書では限定されない。
【０１１８】
解決策１によれば、コアネットワークは、マスタノードを介して伝送される２次スプリットベアラのデータのデータ量、および２次ノードを介して伝送される２次スプリットベアラのデータのデータ量について別々に知り、それにより、データ量をより正確に計数し得る。
解決策２
【０１１９】
解決策２について、異なる例を参照しながら以下で説明される。
【０１２０】
例２：マスタノードＡはｅＮＢ０１であり、コアネットワークはＥＰＣまたは５ＧＣであり、端末０１はｅＮＢ０１と通信する。ｅＮＢ０１は、２次ノードＢとしてｇＮＢ０１を選択し、ＳＣＧベアラまたはＳＣＧスプリットベアラを確立する。
【０１２１】
図６に示されているように、
【０１２２】
Ｓ６０１からＳ６０３は、２次ノードを追加するためのいくつかのシグナリング対話処理を示す。処理または処理中のメッセージ名は、技術の発展とともにまたは異なるネットワークでは変わり得ることに留意されたい。これは本出願のこの実施形態では限定されない。
【０１２３】
Ｓ６０１：ｅＮＢ０１が、２次ノード追加要求メッセージをｇＮＢ０１に送信する。
【０１２４】
Ｓ６０２：ｇＮＢ０１が、２次ノード追加要求肯定応答メッセージをｅＮＢ０１に送信する。
【０１２５】
Ｓ６０３：ｅＮＢ０１が、２次ノード再構成完了メッセージをｇＮＢ０１に送信する。
【０１２６】
Ｓ６０４からＳ６０５は、２次ノードがデータを伝送するように、マスタノードによってデータを２次ノードに移動する処理を示す。
【０１２７】
Ｓ６０４：ｅＮＢ０１が、シーケンス番号（ｓｅｑｕｅｎｃｅ  ｎｕｍｂｅｒ、ＳＮ）ステータスをｇＮＢ０１に送信する。
【０１２８】
Ｓ６０５：ｅＮＢ０１が、ｅＮＢ０１を介して伝送されなかったデータをｇＮＢ０１に送信する。
【０１２９】
伝送されなかったデータは、ｅＮＢ０１によって端末０１に送信されるべきであるダウンリンクデータと、ｅＮＢ０１によってコアネットワークＣに送信されるべきであり、端末０１からであるアップリンクデータとのうちの少なくとも１つであり得る。
【０１３０】
Ｓ６０１からＳ６０５については、たとえば、非特許文献３の関係する内容を別々に参照されたい。
【０１３１】
Ｓ６０６：ｅＮＢ０１が、ｅＮＢ０１によってｇＮＢ０１に送信されるデータ（以下で略して、移動されるデータと呼ばれる）のデータ量を取得する。
【０１３２】
任意選択の設計では、データ量の計数は、移動されるデータヘッダオーバーヘッド、たとえば、ＰＤＣＰレイヤ、ＲＬＣレイヤ、ＭＡＣレイヤ、またはＳＤＡＰレイヤなど、プロトコルレイヤのヘッダオーバーヘッドを除外し得る。この設計によれば、実際のサービスのデータ量が正確に計算されることが可能であり、ユーザエクスペリエンスはより良好である。
【０１３３】
Ｓ６０７：ｅＮＢ０１が、ベアラ変更指示メッセージをコアネットワークＣに送信し、ベアラ変更指示メッセージが第１の情報を含み、第１の情報が、移動されるデータのデータ量を示すために使用される。
【０１３４】
任意選択で、ｅＮＢ０１は、代替として、第１の情報を別のメッセージに追加し得る。説明しやすいように、この例では、第１の情報を搬送するメッセージは第１のメッセージと呼ばれる。
【０１３５】
任意選択で、移動されるデータのデータ量は、ベアラグラニュラリティ、セッショングラニュラリティ、またはフローグラニュラリティに基づいて計数または報告され得る。例では、第１のメッセージは、移動されるデータに対応するベアラ識別子（すなわち、ＳＣＧベアラまたはＳＣＧスプリットベアラの識別子）、セッション識別子、およびフロー識別子のうちの１つまたは複数をさらに含む。特に、コアネットワークＣに報告されるデータ量のグラニュラリティは、コアネットワークＣによってマスタノードに示され得る。上記の関係する内容の詳細な説明については、例１の関係する内容を参照されたい。
【０１３６】
任意選択で、移動されるデータのデータ量は、アップリンク／ダウンリンクグラニュラリティに基づいて計数または報告され得る。関係する内容の詳細な説明については、例１の関係する内容を参照されたい。
【０１３７】
任意選択で、第１のメッセージは２次ノードの無線アクセス技術をさらに含み得る。関係する内容については、例１の関係する内容を参照されたい。
【０１３８】
任意選択で、第１のメッセージは、ＳＣＧベアラまたはＳＣＧスプリットベアラのベアラタイプをさらに含み得る。関係する内容については、例１の関係する内容を参照されたい。
【０１３９】
任意選択で、第１の情報は、代替として、新たに追加されたメッセージを介してマスタノードによってコアネットワークに送信され得る。
【０１４０】
Ｓ６０７によれば、コアネットワークＣは、ＳＣＧベアラまたはＳＣＧスプリットベアラを確立する処理においてマスタノードによって２次ノードに移動されるデータ量について知ることができ、したがって、コアネットワークＣは、２次ノードを介して伝送されるＳＣＧベアラまたはＳＣＧスプリットベアラのデータのデータ量について正しく知り、それにより、データ量をより正確に計数することができる。
【０１４１】
手順の完全性を反映するために、経路更新の他の一部が以下で示される。
【０１４２】
Ｓ６０８：コアネットワークＣが、終了フラグをｅＮＢ０１に送信する。
【０１４３】
Ｓ６０９：ＥＰＣ０１が、ベアラ変更肯定応答メッセージをｅＮＢ０１に送信する。
【０１４４】
Ｓ６０８およびＳ６０９については、たとえば、非特許文献４の関係する内容を参照されたい。
【０１４５】
例１における例２に関係する任意選択の設計および実装は、例２にも適用可能であり、詳細について本明細書で再び説明されない。
【０１４６】
例２は、２次ベアラまたは２次スプリットベアラの別の適用シナリオにも適用可能であることに留意されたい。たとえば、マスタノードＡはｇＮＢであり、２次ノードＢはｅＮＢであり、コアネットワークＣはＥＰＣもしくは５ＧＣであるか、またはマスタノードＡはｅＮＢであり、２次ノードＢはＷＴであり、コアネットワークＣはＥＰＣもしくは５ＧＣであるか、またはマスタノードＡはｇＮＢであり、２次ノードＢはＷＴであり、コアネットワークＣはＥＰＣもしくは５ＧＣである。これは本出願のこの実施形態では限定されない。
【０１４７】
例３：マスタノードＡはｅＮＢ０１であり、２次ノードＢはｇＮＢ０１であり、コアネットワークＣはＥＰＣまたは５ＧＣである。例３は、２次ノード構成修正を通してＳＣＧスプリットベアラまたはＳＣＧベアラを確立することに主に関係する。
【０１４８】
図７に示されているように、
【０１４９】
Ｓ７０１からＳ７０４は、２次ノード構成修正のためのいくつかのシグナリング対話処理を示す。処理または処理中のメッセージ名は、技術の発展とともにまたは異なるネットワークでは変わり得ることに留意されたい。これは本出願のこの実施形態では限定されない。
【０１５０】
Ｓ７０１：ｇＮＢ０１が、２次ノード構成を修正することを要求するためのメッセージをｅＮＢ０１に送信する。
【０１５１】
Ｓ７０１は任意選択であり、ｇＮＢ０１は、ｇＮＢ０１構成修正手順をアクティブに開始し得る。
【０１５２】
Ｓ７０２：ｅＮＢ０１が、２次ノード構成修正要求メッセージをｇＮＢ０１に送信する。
【０１５３】
Ｓ７０３：ｇＮＢ０１が、２次ノード構成修正要求肯定応答メッセージをｅＮＢ０１に送信する。
【０１５４】
Ｓ７０４：ｅＮＢ０１が、２次ノード再構成完了メッセージをｇＮＢ０１に送信する。
【０１５５】
Ｓ７０５およびＳ７０６は、２次ノードが、移動されるデータ（以下で略して、移動されるデータと呼ばれる）を伝送するように、マスタノードによってデータを２次ノードに移動する処理を示す。
【０１５６】
Ｓ７０５：ｅＮＢ０１が、シーケンス番号（ｓｅｑｕｅｎｃｅ  ｎｕｍｂｅｒ、ＳＮ）ステータスをｇＮＢ０１に送信する。
【０１５７】
Ｓ７０６：ｅＮＢ０１が、ｅＮＢ０１を介して伝送されなかったデータをｇＮＢ０１に送信する。
【０１５８】
伝送されなかったデータは、ｅＮＢ０１によって端末０１に送信されるべきであるダウンリンクデータと、ｅＮＢ０１によってコアネットワークＣに送信されるべきであるアップリンクデータとのうちの少なくとも１つであり得る。
【０１５９】
Ｓ７０１からＳ７０６については、たとえば、非特許文献５の関係する内容を別々に参照されたい。
【０１６０】
Ｓ７０７：ｅＮＢ０１が、ｅＮＢ０１によってｇＮＢ０１に送信されるデータのデータ量を取得する。
【０１６１】
任意選択の設計では、データ量の計数は、移動されるデータヘッダオーバーヘッド、たとえば、ＰＤＣＰレイヤ、ＲＬＣレイヤ、ＭＡＣレイヤ、またはＳＤＡＰレイヤなど、プロトコルレイヤのヘッダオーバーヘッドを除外し得る。この設計によれば、実際のサービスのデータ量が正確に計算されることが可能であり、ユーザエクスペリエンスはより良好である。
【０１６２】
Ｓ７０８：ｅＮＢ０１が、ベアラ変更指示メッセージをコアネットワークＣに送信し、ベアラ変更指示メッセージが第１の情報を含み、第１の情報が、移動されるデータのデータ量を示すために使用される。
【０１６３】
任意選択で、ｅＮＢ０１は、代替として、第１の情報を別のメッセージに追加し得る。説明しやすいように、この例では、第１の情報を搬送するメッセージは第１のメッセージと呼ばれる。
【０１６４】
任意選択で、移動されるデータのデータ量は、ベアラグラニュラリティ、セッショングラニュラリティ、またはフローグラニュラリティに基づいて計数または報告され得る。例では、第１のメッセージは、移動されるデータに対応するベアラ識別子（すなわち、ＳＣＧベアラまたはＳＣＧスプリットベアラの識別子）、セッション識別子、およびフロー識別子のうちの１つまたは複数をさらに含む。特に、コアネットワークＣに報告されるデータ量のグラニュラリティは、コアネットワークＣによってマスタノードに示され得る。上記の関係する内容の詳細な説明については、例１および例２の関係する内容を参照されたい。
【０１６５】
任意選択で、移動されるデータのデータ量は、アップリンク／ダウンリンクグラニュラリティに基づいて計数または報告され得る。関係する内容の詳細な説明については、例１および例２の関係する内容を参照されたい。
【０１６６】
任意選択で、第１のメッセージは２次ノードの無線アクセス技術をさらに含み得る。関係する内容については、例１および例２の関係する内容を参照されたい。
【０１６７】
任意選択で、第１のメッセージは、ＳＣＧベアラまたはＳＣＧスプリットベアラのベアラタイプをさらに含み得る。関係する内容については、例１および例２の関係する内容を参照されたい。
【０１６８】
任意選択で、第１の情報は、代替として、新たに追加されたメッセージを介してマスタノードによってコアネットワークに送信され得る。
【０１６９】
Ｓ７０８によれば、コアネットワークＣは、ＳＣＧベアラまたはＳＣＧスプリットベアラを確立する処理においてマスタノードによって２次ノードに移動されるデータ量について知ることができ、したがって、コアネットワークＣは、２次ノードを介して伝送されるＳＣＧベアラまたはＳＣＧスプリットベアラのデータのデータ量について正しく知り、それにより、データ量をより正確に計数することができる。手順の完全性を反映するために、経路更新の他の一部が以下で示される。
【０１７０】
Ｓ７０９：コアネットワークＣが、終了フラグをｅＮＢ０１に送信する。
【０１７１】
Ｓ７１０：ＥＰＣ０１が、ベアラ変更肯定応答メッセージをｅＮＢ０１に送信する。
【０１７２】
Ｓ７０９およびＳ７１０については、たとえば、非特許文献４の関係する内容を参照されたい。
【０１７３】
例１および例２における例３に関係する任意選択の設計は、例３にも適用可能であり、詳細について本明細書で再び説明されない。
【０１７４】
例３は、２次ベアラまたは２次スプリットベアラの別の適用シナリオにも適用可能であることに留意されたい。たとえば、マスタノードＡはｇＮＢであり、２次ノードＢはｅＮＢであり、コアネットワークＣはＥＰＣもしくは５ＧＣであるか、またはマスタノードＡはｅＮＢであり、２次ノードＢはＷＴであり、コアネットワークＣはＥＰＣもしくは５ＧＣであるか、またはマスタノードＡはｇＮＢであり、２次ノードＢはＷＴであり、コアネットワークＣはＥＰＣもしくは５ＧＣである。これは本出願のこの実施形態では限定されない。
【０１７５】
解決策２において提供される方法について、マスタノード側の観点およびコアネットワーク側の観点から別々に以下で説明される。
【０１７６】
以下は、マスタノード側の観点から説明される解決策２の方法である。方法Ｍ３は以下のステップを含む。
【０１７７】
Ｍ３０１：２次ベアラまたは２次スプリットベアラを確立したとき、マスタノードが、移動されるデータを２次ノードに送信する。
【０１７８】
Ｍ３０１の関係する説明については、Ｓ６０５およびＳ７０６の関係する内容を参照されたい。
【０１７９】
Ｍ３０２：マスタノードが、第１のメッセージをコアネットワークに送信し、第１のメッセージが第１の情報を含み、第１の情報が、移動されるデータのデータ量を示すために使用される。
【０１８０】
Ｍ３０２の関係する説明については、Ｓ６０７およびＳ７０８の関係する内容を参照されたい。
【０１８１】
以下は、コアネットワーク側の観点から説明される解決策２の方法である。方法Ｍ４は以下のステップを含む。
【０１８２】
Ｍ４０１：２次ベアラまたは２次スプリットベアラを確立したとき、コアネットワーク中のネットワーク要素が、マスタノードから第１のメッセージを受信し、第１のメッセージが第１の情報を含み、第１の情報が、２次ベアラまたは２次スプリットベアラが確立されたとき、マスタノードによって２次ノードに送信される、移動されるデータのデータ量を示すために使用される。
【０１８３】
Ｍ４０１の関係する説明については、Ｓ６０７およびＳ７０８の関係する内容を参照されたい。
【０１８４】
Ｍ４０２：コアネットワーク中のネットワーク要素が、移動されるデータのデータ量に基づいて、２次ノードを介して伝送される２次ベアラまたは２次スプリットベアラのデータのデータ量を取得する。
【０１８５】
Ｍ４０２の関係する説明については、Ｓ６０７およびＳ７０８の関係する内容を参照されたい。
【０１８６】
方法Ｍ３および方法Ｍ４に関係する任意選択の設計および実装については、上記の例２および例３の内容を参照されたい。詳細について本明細書で再び説明されない。
【０１８７】
解決策２によれば、コアネットワークは、２次ノードを介して伝送される２次ベアラまたは２次スプリットベアラのデータのデータ量を補正し、それにより、データ量をより正確に計数し得る。
解決策３
【０１８８】
解決策３について、異なる例を参照しながら以下で説明される。
【０１８９】
例４：マスタノードＡはｅＮＢ０１であり、２次ノードＢはｇＮＢ０１であり、コアネットワークＣはＥＰＣまたは５ＧＣであり、ネットワークは、端末０１のためにＳＣＧベアラまたはＳＣＧスプリットベアラを確立する。マスタノードＡは変更されないままであり、２次ノードＢは、ｇＮＢ０１（ソースｇＮＢ）からｇＮＢ０２（ターゲットｇＮＢ）にハンドオーバされる。ハンドオーバの前のＳＣＧスプリットベアラのアップリンクデータおよびダウンリンクデータ伝送処理については、図５のＳ５０１からＳ５０８の関係する説明を参照されたい。
【０１９０】
本出願のこの実施形態では、５ＧＣは、セッション（ｓｅｓｓｉｏｎ）およびフロー（ｆｌｏｗ）をサポートし、具体的には、５ＧＣは、データが属するフローまたはセッションを識別することができ、セッションは１つまたは複数のフローを含み得ることに留意されたい。ＥＰＣは、ベアラをサポートし、具体的には、ＥＰＣは、データが属するベアラを識別することができる。技術の発展とともに、５ＧＣは、ベアラをさらにサポートする可能性があり、ＥＰＣは、フローおよびセッションをさらにサポートする可能性がある。これは本出願では限定されない。以下の例はいくつかのシグナリング対話処理を示す。処理または処理中のメッセージ名は、技術の発展とともにまたは異なるネットワークでは変わり得ることに留意されたい。これは本出願のこの実施形態では限定されない。
【０１９１】
図８ａに示されているように、
【０１９２】
Ｓ８０１からＳ８０６は、２次ノードをハンドオーバするためのいくつかのシグナリング対話処理を示す。
【０１９３】
Ｓ８０１：ｅＮＢ０１が、２次ノード追加要求メッセージをｇＮＢ０２に送信する。
【０１９４】
Ｓ８０２：ｇＮＢ０２が、２次ノード追加要求肯定応答メッセージをｅＮＢ０１に送信する。
【０１９５】
Ｓ８０３：ｅＮＢ０１が、２次ノード解放要求メッセージをｇＮＢ０１に送信する。
【０１９６】
Ｓ８０４：ｅＮＢ０１が、２次ノード再構成完了メッセージをｇＮＢ０２に送信する。
【０１９７】
Ｓ８０５：ｅＮＢ０１、ｇＮＢ０１、およびｇＮＢ０２が、ＳＮステータス伝送およびデータフォワーディングを完了する。
【０１９８】
Ｓ８０６：ｅＮＢ０１、ｇＮＢ０１、ｇＮＢ０２、およびコアネットワークＣが、経路更新手順を完了する。
【０１９９】
Ｓ８０１からＳ８０６については、たとえば、非特許文献６の関係する内容を別々に参照されたい。
【０２００】
Ｓ８０７からＳ８０９は、ソース２次ノードが、ソース２次ノードを介して伝送される２次ベアラまたは２次スプリットベアラのデータのデータ量をマスタノードに報告することを示す。
【０２０１】
Ｓ８０７：ｅＮＢ０１が、端末０１コンテキスト解放メッセージをｇＮＢ０１に送信し、メッセージが、ｇＮＢ０１を介して伝送されるＳＣＧベアラまたはＳＣＧスプリットベアラのデータのデータ量をｅＮＢ０１に送信するようにｇＮＢ０１に命令するために使用される情報を含む。任意選択で、代替として、メッセージ自体が、ｇＮＢ０１を介して伝送されるＳＣＧベアラまたはＳＣＧスプリットベアラのデータのデータ量をｅＮＢ０１に送信するようにｇＮＢ０１に命令するための指示として理解され得る。
【０２０２】
任意選択で、上記の指示は、代替として、新たに追加されたメッセージを介して実施され得る。
【０２０３】
Ｓ８０８：ｇＮＢ０１が、ｇＮＢ０１を介して伝送されるＳＣＧベアラまたはＳＣＧスプリットベアラのデータのデータ量を計数する。
【０２０４】
ｇＮＢ０１を介して伝送されるＳＣＧスプリットベアラまたはＳＣＧベアラのデータのデータ量は、データ量Ｓとして表されることがある。
【０２０５】
例では、図５を参照すると、ＳＣＧスプリットベアラのシナリオにおいて、データ量Ｓは、データＡ−２のデータ量およびデータＢ−２のデータ量のうちの少なくとも１つのデータ量であり得る。任意選択で、データ量Ｓは、データＡ−２のデータ量と、データＢ−２のデータ量との和であり得る。
【０２０６】
別の例では、図８ｂを参照すると、ＳＣＧベアラにおいて、データ量Ｓは、ｇＮＢ０１によって端末０１に送信されるデータＣのデータ量、および端末０１によってｇＮＢ０１に送信されるデータＤのデータ量のうちの少なくとも１つのデータ量であり得る。任意選択で、データ量Ｓは、データＣのデータ量と、データＤのデータ量との和であり得る。
【０２０７】
データ量は、アップリンク／ダウンリンクグラニュラリティに基づいて計数され得ることが理解されよう。
【０２０８】
ｇＮＢ０１は、データフォワーディングまたは経路更新の後にデータ量Ｓを計数し得、したがって、ｇＮＢ０１は、ｇＮＢ０１がデータ量Ｓを計数するときおよびその後に、端末０１とのデータ伝送をもはや実施しないことが保証され、それにより、データ量の精度が保証される。
【０２０９】
任意選択で、データ量は、ベアラグラニュラリティ、セッショングラニュラリティ、またはフローグラニュラリティに基づいて計数され得る。関係する内容については、例１から例３の関係する内容を参照されたい。
【０２１０】
Ｓ８０９：ｇＮＢ０１が、第１のメッセージをｅＮＢ０１に送信し、第１のメッセージが第１の情報を含み、第１の情報が、データ量Ｓを示すために使用される。任意選択で、マスタノードによってデータ量をコアネットワークに報告することと同様に、２次ノードは、ベアラグラニュラリティ、セッショングラニュラリティ、またはフローグラニュラリティに基づいてデータ量をマスタノードに報告し得る。例では、第１のメッセージは、データ量Ｓに対応するベアラ識別子（すなわち、ＳＣＧベアラまたはＳＣＧスプリットベアラの識別子）、セッション識別子、およびフロー識別子のうちの１つまたは複数をさらに含む。特に、２次ノードによってマスタノードに報告されるデータ量のグラニュラリティは、マスタノードと２次ノードとの間でネゴシエートされ得るか、またはコアネットワークＣによってマスタノードに示され得る。上記の関係する内容の詳細な説明については、例１から例３の関係する内容を参照されたい。
【０２１１】
任意選択で、２次ノードは、アップリンク／ダウンリンクグラニュラリティに基づいてデータ量をマスタノードに報告し得る。関係する内容の詳細な説明については、例１から例３の関係する内容を参照されたい。
【０２１２】
Ｓ８０７からＳ８０９によれば、マスタノードは、２次ノードがハンドオーバされる前に、ソース２次ノードを介して伝送される２次ベアラまたは２次スプリットベアラのデータのデータ量について知り得る。
【０２１３】
任意選択で、マスタノードは、複数の２次ノードハンドオーバ中に、ソース２次ノードを介して伝送される２次ベアラまたは２次スプリットベアラのデータのデータ量を累積し、データ量をコアネットワークに報告する必要があるとき、累積されたデータ量を報告し得る。
【０２１４】
Ｓ８１０は、マスタノードがデータ量をコアネットワークに報告することを示す。
【０２１５】
Ｓ８１０：ｅＮＢ０１が、第２のメッセージをコアネットワークＣに送信し、第２のメッセージが第２の情報を含み、第２の情報が、ソース２次ノードを介して伝送されるＳＣＧベアラまたはＳＣＧスプリットベアラのデータのデータ量を示すために使用される。
【０２１６】
任意選択で、データ量は、ハンドオーバ中にソース２次ノードを介して伝送されるＳＣＧベアラまたはＳＣＧスプリットベアラのデータのデータ量であり得る。たとえば、データ量はデータ量Ｓであり得る。
【０２１７】
任意選択で、データ量は、複数のハンドオーバ中に複数のソース２次ノードを介して伝送されるＳＣＧベアラまたはＳＣＧスプリットベアラのデータのデータ量の累積値であり得る。たとえば、累積値は、マスタノードによって受信された複数のデータ量Ｓについての累積値であり得る。
【０２１８】
コアネットワークＣは、ソース２次ノードを介して伝送されるＳＣＧベアラまたはＳＣＧスプリットベアラのデータのデータ量を取得し、ＳＣＧベアラまたはＳＣＧスプリットベアラのデータの総データ量に基づいて、マスタノードを介して伝送されるＳＣＧベアラまたはＳＣＧスプリットベアラのデータのデータ量を取得し得る。
【０２１９】
任意選択で、ｅＮＢ０１は、ｇＮＢ０１の無線アクセス技術をコアネットワークＣにさらに報告し得る（たとえば、Ｓ８１０）。関係する内容については、例１から例３の関係する内容を参照されたい。
【０２２０】
ｅＮＢ０１がデータ量ＳをコアネットワークＣに報告する前に、複数のｇＮＢとの間で同じベアラが転送され得る。たとえば、最初に、ｅＮＢ０１およびｇＮＢ０１上でＳＣＧまたはＳＣＧスプリットベアラが確立され、次いで、ｇＮＢ０１からのハンドオーバが行われるかもしくはｇＮＢ０１が解放されるか、または構成修正によりｇＮＢ０１上のベアラが解放されたとき、ｇＮＢ０１は、ｇＮＢ０１を介して伝送されるベアラのデータ量をｅＮＢ０１に送信する。次いで、ｅＮＢ０１は、ベアラを別のｇＮＢ、たとえば、ｇＮＢ０３に移動する。その後、ｇＮＢ０３からのハンドオーバが行われるかもしくはｇＮＢ０３が解放されたとき、または構成修正によりｇＮＢ０３上のベアラが解放されたとき、ｇＮＢ０３は、ｇＮＢ０３を介して伝送されるベアラのデータ量をｅＮＢ０１に送信する。ｅＮＢ０１は、ベアラに対応し、ｇＮＢ０１の無線アクセス技術１に対応するデータ量、およびベアラ１に対応し、ｇＮＢ０２の無線アクセス技術２に対応するデータ量を取得し、次いで、それらのデータ量をコアネットワークＣに報告し得る。
【０２２１】
任意選択で、ｅＮＢ０１がデータ量をコアネットワークＣに報告する（たとえば、Ｓ８１０）前に、処理は、ｅＮＢ０１によって、同じ無線アクセス技術の同じＳＣＧまたはＳＣＧスプリットベアラについてデータ量を累積することと、異なる無線アクセス技術に対応する累積されたデータ量を取得することと、次いで、データ量をコアネットワークＣに報告することとをさらに含み得る。
【０２２２】
任意選択で、マスタノードがデータ量をコアネットワークＣに報告する時（たとえば、Ｓ８１０）に関し、複数の任意選択の実装がある。第１の任意選択の実装では、Ｓ８１０はＳ８０９の後に実施される。第２の任意選択の実装では、マスタノードは、第２のメッセージをコアネットワークＣに周期的に送信し得る。第３の任意選択の実装では、マスタノードは、２次ベアラまたは２次スプリットベアラを報告するためのコアネットワークからの要求を受信した後、第２のメッセージを送信し得る。第４の任意選択の実装では、マスタノードは、マスタノードとコアネットワークとの間のインターフェースが解放されたとき、マスタノードとコアネットワークとの間の接続が中断されたとき、ベアラ非アクティブ化手順において、などで第２のメッセージを送信し得る。上記の４つの実装のうちの１つまたは複数は、ネットワークにおいてすべて展開され得ることに留意されたい。任意選択で、第２のメッセージは、既存の手順におけるメッセージであり得るか、または新たに追加されたメッセージであり得る。データ量を報告するための特定の時については、例１のＳ５１０における報告時の関係する説明を参照されたい。
【０２２３】
任意選択で、データ量Ｓは、ベアラグラニュラリティ、セッショングラニュラリティ、またはフローグラニュラリティに基づいて報告され得る。例では、第２のメッセージは、データ量に対応するベアラ識別子（すなわち、ＳＣＧベアラまたはＳＣＧスプリットベアラの識別子）、セッション識別子、およびフロー識別子のうちの１つまたは複数をさらに含む。特に、コアネットワークＣに報告されるデータ量のグラニュラリティは、コアネットワークＣによってマスタノードに示され得る。上記の関係する内容の詳細な説明については、例１から例３の関係する内容を参照されたい。
【０２２４】
任意選択で、データ量Ｓは、アップリンク／ダウンリンクグラニュラリティに基づいて報告され得る。関係する内容の詳細な説明については、例１から例３の関係する内容を参照されたい。
【０２２５】
任意選択で、第２のメッセージは、ＳＣＧベアラまたはＳＣＧスプリットベアラのベアラタイプをさらに含み得る。関係する内容については、例１から例３の関係する内容を参照されたい。
【０２２６】
任意選択で、コアネットワークＣがデータ量を計数するのを助けるために、Ｓ８１０における第２のメッセージはタイムスタンプをさらに含み、タイムスタンプは、Ｓ８１０において報告されるデータ量に対応する開始時間および終了時間を示すために使用される。
【０２２７】
任意選択の設計では、例４におけるデータ量の計数は、データヘッダオーバーヘッド、たとえば、ＰＤＣＰレイヤ、ＲＬＣレイヤ、ＭＡＣレイヤ、またはＳＤＡＰレイヤなど、プロトコルレイヤのヘッダオーバーヘッドを除外し得る。この設計によれば、実際のサービスのデータ量が正確に計算されることが可能であり、ユーザエクスペリエンスはより良好である。
【０２２８】
任意選択で、第２のメッセージは、たとえば、例２のＳ６０７における第１の情報、または例３のＳ７０８における第１の情報をさらに含み得る。関係する内容については、例２または例３を参照されたい。
【０２２９】
理解しやすいように、例４における２次ベアラおよび２次スプリットベアラのデータ量の計数および報告について、例を使用することによって以下でさらに説明される。
【０２３０】
（１）２次スプリットベアラについて
【０２３１】
図５を参照すると、たとえば、データＡおよびデータＢは、セッションＡのデータである。セッションＡは、フロー１およびフロー２を含む。データＡ−１は、フロー１のデータの一部（略してデータＡ−１−ｆ１と呼ばれる）およびフロー２のデータの一部（略してデータＡ−１−ｆ２と呼ばれる）を含み得る。データＡ−２は、フロー１のデータの一部（略してデータＡ−２−ｆ１と呼ばれる）およびフロー２のデータの一部（略してデータＡ−２−ｆ２と呼ばれる）を含み得る。データＢ−１は、フロー１のデータの一部（略してデータＢ−１−ｆ１と呼ばれる）およびフロー２のデータの一部（略してデータＢ−１−ｆ２と呼ばれる）を含み得る。データＢ−２は、フロー１のデータの一部（略してデータＢ−２−ｆ１と呼ばれる）およびフロー２のデータの一部（略してデータＢ−２−ｆ２と呼ばれる）を含み得る。
【０２３２】
任意選択で、ネットワーク要件に従って、Ｓ８０８において、ｇＮＢ０１は、フローグラニュラリティまたはセッショングラニュラリティにおいてデータ量を計数し得る。たとえば、ｇＮＢ０１を介して伝送されるＳＣＧスプリットベアラによって搬送されるフロー１のアップリンクデータ量およびダウンリンクデータ量のうちの少なくとも１つが計数されるか、またはｇＮＢ０１を介して伝送されるＳＣＧスプリットベアラによって搬送されるセッションＡのアップリンクデータ量およびダウンリンクデータ量のうちの少なくとも１つが計数される。
【０２３３】
任意選択で、ネットワーク要件に従って、Ｓ８０９において、ｇＮＢ０１によって報告されるデータ量Ｓは、フローグラニュラリティにおけるデータ量、またはセッショングラニュラリティにおけるデータ量であり得る。Ｓ８０９における第１のメッセージは、データ量Ｓに対応するフロー識別子またはセッション識別子をさらに含む。たとえば、データ量Ｓはフロー１のダウンリンクデータ量（たとえば、データＡ−２−ｆ１のデータ量）であり、データ量Ｓに対応するフロー識別子はフロー１のフロー識別子であり、データ量Ｓはフロー２のアップリンクデータ量（たとえば、データＢ−２−ｆ２のデータ量）であり、データ量Ｓに対応するフロー識別子はフロー２のフロー識別子であり、データ量ＳはセッションＡのダウンリンクデータ量（たとえば、データＡ−２のデータ量）であり、データ量Ｓに対応するセッション識別子はセッションＡのセッション識別子であり、データ量ＳはセッションＡのアップリンクデータ量（たとえば、データＢ−２のデータ量）であり、データ量Ｓに対応するセッション識別子はセッションＡのセッション識別子である。
【０２３４】
任意選択で、ネットワーク要件に従って、Ｓ８１０において、第２のメッセージは、報告されるデータ量に対応するフロー識別子またはセッション識別子のうちの少なくとも１つをさらに含み得る。ｅＮＢ０１によって取得された第１のメッセージがデータ量Ｓおよびセッション識別子を含む場合、第２のメッセージは、データ量Ｓおよびセッション識別子を含み得る。ｅＮＢ０１によって取得された第１のメッセージがデータ量Ｓおよびフロー識別子を含む場合、ｅＮＢ０１は、セッションとフローとの間の対応に基づいて、フロー識別子に対応するセッション識別子を取得し、ｅＮＢ０１は、そのセッション識別子を報告し得る。具体的には、第２のメッセージは、データ量Ｓと、セッション識別子、またはフロー識別子のうちの少なくとも１つとを含み得る。
【０２３５】
（２）２次ベアラについて
【０２３６】
図８ｂに示されているように、たとえば、データＣおよびデータＤは、セッションＣのデータである。セッションＣは、フロー３およびフロー４を含む。データＣは、フロー３のダウンリンクデータ、およびフロー４のダウンリンクデータを含み得、データＤは、フロー３のアップリンクデータ、およびフロー４のアップリンクデータを含み得る。
【０２３７】
任意選択で、ネットワーク要件に従って、Ｓ８０８において、ｇＮＢ０１は、フローグラニュラリティまたはセッショングラニュラリティにおいてデータ量を計数し得る。たとえば、ｇＮＢ０１を介して伝送されるＳＣＧベアラによって搬送されるフロー３のアップリンクデータ量およびダウンリンクデータ量のうちの少なくとも１つが計数されるか、またはｇＮＢ０１を介して伝送されるＳＣＧベアラによって搬送されるセッションＣのアップリンクデータ量およびダウンリンクデータ量のうちの少なくとも１つが計数される。
【０２３８】
任意選択で、ネットワーク要件に従って、Ｓ８０９において、ｇＮＢ０１によって報告されるデータ量Ｓは、フローグラニュラリティにおけるデータ量、またはセッショングラニュラリティにおけるデータ量であり得る。Ｓ８０９における第１のメッセージは、データ量Ｓに対応するフロー識別子またはセッション識別子をさらに含む。たとえば、データ量Ｓはフロー３のダウンリンクデータ量（たとえば、データＣ−ｆ３）であり、データ量Ｓに対応するフロー識別子はフロー３のフロー識別子であり、データ量Ｓはフロー４のアップリンクデータ量（たとえば、データＣ−ｆ４）であり、データ量Ｓに対応するフロー識別子はフロー４のフロー識別子であり、データ量ＳはセッションＡのダウンリンクデータ量（データＣ）であり、データ量Ｓに対応するセッション識別子はセッションＡのセッション識別子であり、データ量ＳはセッションＡのアップリンクデータ量（データＤ）であり、データ量Ｓに対応するセッション識別子はセッションＡのセッション識別子である。
【０２３９】
任意選択で、ネットワーク要件に従って、Ｓ８１０において、ｅＮＢ０１によって取得された第１のメッセージがデータ量Ｓおよびセッション識別子を含む場合、第２のメッセージは、データ量Ｓおよびセッション識別子を含み得る。ｅＮＢ０１によって取得された第１のメッセージがデータ量Ｓおよびフロー識別子を含む場合、第２のメッセージは、データ量Ｓおよびフロー識別子を含み得る。ｅＮＢ０１によって取得された第１のメッセージがデータ量Ｓおよびフロー識別子を含む場合、ｅＮＢ０１は、セッションとフローとの間の対応に基づいて、フロー識別子に対応するセッション識別子を取得し、ｅＮＢ０１は、そのセッション識別子を報告し得る。具体的には、第２のメッセージは、データ量Ｓおよびセッション識別子を含み得る。
【０２４０】
上記の方法によれば、コアネットワークは、２次ノードのハンドオーバが行われる前に、ソース２次ノードを介して伝送される２次ベアラまたは２次スプリットベアラのデータのデータ量について知り、それにより、データ量をより正確に計数し得る。加えて、コアネットワークは、ソース２次ノードを介して伝送される２次ベアラまたは２次スプリットベアラのデータのデータ量に基づいて、２次ノードのハンドオーバが行われる前にマスタノードを介して伝送される２次ベアラまたは２次スプリットベアラのデータのデータ量を知り、それにより、データ量をより正確に計数し得る。
【０２４１】
例５：マスタノードＡはｅＮＢ０１であり、２次ノードＢはｇＮＢ０１であり、コアネットワークＣはＥＰＣまたは５ＧＣであり、ネットワークは、端末０１のためにＳＣＧまたはＳＣＧスプリットベアラを確立する。マスタノードＡは変更されないままであり、ｇＮＢ０１は解放される。
【０２４２】
図９に示されているように、
【０２４３】
Ｓ９０１からＳ９０３は、２次ノードを解放するためのいくつかのシグナリング対話処理を示す。処理または処理中のメッセージ名は、技術の発展とともにまたは異なるネットワークでは変わり得ることに留意されたい。これは本出願のこの実施形態では限定されない。
【０２４４】
Ｓ９０１：ｅＮＢ０１が、２次ノード解放要求メッセージをｇＮＢ０１に送信する。
【０２４５】
Ｓ９０２：ｅＮＢ０１およびｇＮＢ０１が、ＳＮステータス伝送およびデータフォワーディングを完了する。
【０２４６】
Ｓ９０３：ｅＮＢ０１、ｇＮＢ０１、およびコアネットワークＣが、経路更新手順を完了する。
【０２４７】
Ｓ９０１からＳ９０３については、たとえば、非特許文献７の関係する内容を別々に参照されたい。
【０２４８】
Ｓ９０４：ｅＮＢ０１が、端末コンテキスト解放メッセージをｇＮＢ０１に送信し、メッセージが、ｇＮＢ０１を介して伝送されるＳＣＧベアラまたはＳＣＧスプリットベアラのデータのデータ量をｅＮＢ０１に送信するようにｇＮＢ０１に命令するために使用される情報を含む。任意選択で、代替として、メッセージ自体が、ｇＮＢ０１を介して伝送されるＳＣＧベアラまたはＳＣＧスプリットベアラのデータのデータ量をｅＮＢ０１に送信するようにｇＮＢ０１に命令するための指示として理解され得る。
【０２４９】
任意選択で、上記の指示は、代替として、新たに追加されたメッセージを介して実施され得る。
【０２５０】
Ｓ９０５：ｇＮＢ０１が、ｇＮＢ０１を介して伝送されるＳＣＧベアラまたはＳＣＧスプリットベアラのデータのデータ量Ｓを取得する。
【０２５１】
任意選択で、ｇＮＢ０１は、ｇＮＢ０１を介して伝送されるｇＮＢ０１上の各ＳＣＧベアラまたは各ＳＣＧスプリットベアラのデータ量を計数する。この場合、ｇＮＢ０１は解放される。したがって、ｇＮＢ０１上のすべてのベアラが解放または移動される。ｇＮＢ０１を介して伝送される各ＳＣＧベアラまたは各ＳＣＧスプリットベアラのデータ量は計数される必要がある。
【０２５２】
任意選択で、データ量Ｓは、アップリンク／ダウンリンクグラニュラリティに基づいて計数され得る（たとえば、Ｓ９０５）。関係する内容の詳細な説明については、例１から例４の関係する内容を参照されたい。
【０２５３】
任意選択で、データ量Ｓの計数（たとえば、Ｓ９０５）は、データヘッダオーバーヘッドを除外し得る。関係する内容の詳細な説明については、例１から例４の関係する内容を参照されたい。
【０２５４】
任意選択で、データ量Ｓは、ベアラグラニュラリティ、セッショングラニュラリティ、またはフローグラニュラリティに基づいて計数され得る（たとえば、Ｓ９０５）。関係する内容の詳細な説明については、例１から例４の関係する内容を参照されたい。
【０２５５】
データ量Ｓを取得したとき、ｇＮＢ０１は、データフォワーディングおよび経路更新をすでに完了しており、したがって、ｇＮＢ０１は、ｇＮＢ０１がデータ量Ｓを取得するときおよびその後に、端末０１とのデータ伝送をもはや実施しないことが保証され、それにより、データ量の精度が保証される。
【０２５６】
Ｓ９０６：ｇＮＢ０１が、第１のメッセージをｅＮＢ０１に送信し、第１のメッセージがデータ量Ｓを含む。
【０２５７】
ｇＮＢ０１が解放される前に、ｇＮＢ０１は、ｇＮＢ０１を介して伝送されるＳＣＧベアラまたはＳＣＧスプリットベアラのデータのデータ量を報告する。
【０２５８】
任意選択で、ｇＮＢ０１は、データ量Ｓに対応するベアラ識別子、フロー識別子、またはセッション識別子のうちの少なくとも１つをｅＮＢ０１に報告し得る（たとえば、Ｓ９０６）。関係する内容の詳細な説明については、例１から例４の関係する内容を参照されたい。
【０２５９】
Ｓ９０７：ｅＮＢ０１が、第２のメッセージをコアネットワークＣに送信し、第２のメッセージがデータ量Ｓを含む。
【０２６０】
コアネットワークＣは、２次ノードを介して伝送されるＳＣＧベアラまたはＳＣＧスプリットベアラのデータのデータ量を取得し、ＳＣＧスプリットベアラのシナリオでは、ＳＣＧスプリットベアラのデータの総データ量に基づいて、マスタノードを介して伝送されるＳＣＧスプリットベアラのデータのデータ量を取得する。
【０２６１】
任意選択で、ｅＮＢ０１は、データ量Ｓに対応するベアラ識別子、フロー識別子、またはセッション識別子のうちの少なくとも１つをコアネットワークＣにさらに報告し得る（たとえば、Ｓ９０７）。関係する内容の詳細な説明については、例１から例４の関係する内容を参照されたい。
【０２６２】
任意選択で、ｅＮＢ０１は、ｇＮＢ０１の無線アクセス技術をコアネットワークＣにさらに報告し得る（たとえば、Ｓ９０７）。関係する内容の詳細な説明については、例１から例４の関係する内容を参照されたい。
【０２６３】
任意選択で、ｅＮＢ０１がデータ量をコアネットワークＣに報告する（たとえば、Ｓ９０７）前に、処理は、ｅＮＢ０１によって、同じ無線アクセス技術の同じＳＣＧまたはＳＣＧスプリットベアラについてデータ量を累積することをさらに含み得る。関係する内容の詳細な説明については、例１から例４の関係する内容を参照されたい。
【０２６４】
任意選択で、ｅＮＢ０１は、タイムスタンプをコアネットワークＣにさらに報告し得（たとえば、Ｓ９０７）、タイムスタンプは、データ量Ｓの計数に対応する開始時間および終了時間を示すために使用される。関係する内容の詳細な説明については、例１から例４の関係する内容を参照されたい。
【０２６５】
任意選択で、ｅＮＢ０１は、ベアラタイプ、たとえば、ＳＣＧスプリットベアラまたはＳＣＧベアラをコアネットワークＣにさらに報告し得る（たとえば、Ｓ９０７）。関係する内容の詳細な説明については、例１から例４の関係する内容を参照されたい。
【０２６６】
任意選択で、ｅＮＢ０１がデータ量をコアネットワークＣに報告する時（たとえば、Ｓ９０７）に関し、いくつかの任意選択の実装があり得る。関係する内容の詳細な説明については、例１から例４の関係する内容を参照されたい。
【０２６７】
例６：マスタノードＡはｅＮＢ０１であり、２次ノードＢはｇＮＢ０１であり、コアネットワークＣはＥＰＣまたは５ＧＣであり、ネットワークは、端末０１のためにＳＣＧまたはＳＣＧスプリットベアラを確立する。ｅＮＢ０１またはｇＮＢ０１は、ベアラタイプを変更して、ＳＣＧベアラまたはＳＣＧスプリットベアラをＭＣＧベアラに変更することを要求し得る。
【０２６８】
図１０に示されているように、
【０２６９】
２次ノードを解放するためのいくつかのシグナリング対話処理が示されている。処理または処理中のメッセージ名は、技術の発展とともにまたは異なるネットワークでは変わり得ることに留意されたい。これは本出願のこの実施形態では限定されない。
【０２７０】
Ｓ１００１：ｇＮＢ０１が、２次ノード構成を修正することを要求するためのメッセージをｅＮＢ０１に送信する。
【０２７１】
Ｓ１００１は任意選択であり、ｇＮＢ０１は、ｇＮＢ０１構成修正手順をアクティブに開始し得る。
【０２７２】
Ｓ１００２：ｅＮＢ０１が、２次ノード構成修正要求メッセージをｇＮＢ０１に送信し、２次ノード構成修正要求メッセージが、ｇＮＢ０１を介して伝送されるＳＣＧベアラまたはＳＣＧスプリットベアラのデータのデータ量をｅＮＢ０１に送信するようにｇＮＢ０１に命令するために使用される。
【０２７３】
任意選択で、ｇＮＢ０１上のベアラタイプの変更は、いくつかのベアラのベアラタイプの変更であり得る。したがって、この場合、ｇＮＢ０１を介して伝送されるいくつかのベアラのデータのデータ量は計数される必要がある。２次ノード構成修正要求は、いくつかのベアラのベアラ識別子、セッション識別子、またはフロー識別子のうちの少なくとも１つを含み得る。たとえば、コアネットワークＣがＥＰＣであるとき、２次ノード構成修正要求メッセージはベアラ識別子を含み得るか、またはコアネットワークが５ＧＣであるとき、２次ノード構成修正要求メッセージは、セッション識別子、フロー識別子などを含み得る。
【０２７４】
Ｓ１００３：ｇＮＢ０１が、ｇＮＢ０１を介して伝送されるＳＣＧベアラまたはＳＣＧスプリットベアラのデータのデータ量を取得する。
【０２７５】
任意選択で、ｇＮＢ０１は、２次ノード構成修正要求メッセージ中のベアラ識別子、セッション識別子、またはフロー識別子のうちの少なくとも１つに基づいて、ｇＮＢ０１を介して伝送されるＳＣＧベアラまたはＳＣＧスプリットベアラのデータの対応するデータ量を取得する。
【０２７６】
任意選択で、データ量Ｓは、アップリンク／ダウンリンクグラニュラリティに基づいて計数され得る（たとえば、Ｓ１００３）。関係する内容の詳細な説明については、例１から例４の関係する内容を参照されたい。
【０２７７】
任意選択で、データ量Ｓの計数（たとえば、Ｓ１００３）は、データヘッダオーバーヘッドを除外し得る。関係する内容の詳細な説明については、例１から例４の関係する内容を参照されたい。
【０２７８】
任意選択で、データ量Ｓは、ベアラグラニュラリティ、セッショングラニュラリティ、またはフローグラニュラリティに基づいて計数され得る（たとえば、Ｓ１００３）。関係する内容の詳細な説明については、例１から例４の関係する内容を参照されたい。
【０２７９】
任意選択で、ｇＮＢ０１は、データ量Ｓを取得するときおよびその後に、端末０１とのデータ伝送をもはや実施せず、それにより、データ量の精度を保証する。
【０２８０】
Ｓ１００４：ｇＮＢ０１が、２次ノード構成修正要求肯定応答メッセージをｅＮＢ０１に送信し、２次ノード構成修正要求肯定応答メッセージがデータ量Ｓを含む。
【０２８１】
任意選択で、ｇＮＢ０１は、データ量Ｓに対応するベアラ識別子、フロー識別子、またはセッション識別子のうちの少なくとも１つをｅＮＢ０１に報告し得る（たとえば、Ｓ１００４）。関係する内容の詳細な説明については、例１から例４の関係する内容を参照されたい。
【０２８２】
任意選択で、ｇＮＢ０１は、タイムスタンプをｅＮＢ０１にさらに報告し得（たとえば、Ｓ１００４）、タイムスタンプは、データ量Ｓの計数に対応する開始時間および終了時間を示すために使用される。関係する内容の詳細な説明については、例１から例４の関係する内容を参照されたい。
【０２８３】
Ｓ１００５：ｅＮＢ０１が、第２のメッセージをコアネットワークＣに送信する。
【０２８４】
任意選択で、ｅＮＢ０１がデータ量をコアネットワークＣに報告する時に関し、いくつかの任意選択の実装があり得る。関係する内容の詳細な説明については、例１から例４の関係する内容を参照されたい。
【０２８５】
Ｓ１００６：ｅＮＢ０１が、２次ノード再構成完了メッセージをｇＮＢ０１に送信する。
【０２８６】
Ｓ１００７：ｅＮＢ０１およびｇＮＢ０１が、ＳＮステータス伝送およびデータフォワーディングを完了する。
【０２８７】
首尾よく伝送されないデータは、ｅＮＢ０１によって端末０１に送信されないダウンリンクデータ、ｇＮＢ０１に送信されないアップリンクデータ、またはそれらのダウンリンクデータおよびアップリンクデータであり得る。
【０２８８】
Ｓ１００１、Ｓ１００２、およびＳ１００４からＳ１００７については、たとえば、非特許文献５の関係する内容を別々に参照されたい。
【０２８９】
Ｓ１００８：ｅＮＢ０１が、ベアラ変更指示メッセージをコアネットワークＣに送信する。
【０２９０】
任意選択で、Ｓ１００５における第２のメッセージが、Ｓ１００７におけるベアラ変更指示メッセージであり得る。
【０２９１】
Ｓ１００９：コアネットワークＣが、終了フラグをｅＮＢ０１に送信する。
【０２９２】
Ｓ１０１０：コアネットワークＣが、ベアラ変更肯定応答メッセージをｅＮＢ０１に送信する。
【０２９３】
Ｓ１００９およびＳ１０１０については、たとえば、非特許文献４の関係する内容を参照されたい。
【０２９４】
任意選択で、ｅＮＢ０１は、データ量Ｓに対応するベアラ識別子、フロー識別子、またはセッション識別子のうちの少なくとも１つをコアネットワークＣにさらに報告し得る。関係する内容の詳細な説明については、例１から例４の関係する内容を参照されたい。
【０２９５】
任意選択で、ｅＮＢ０１は、ｇＮＢ０１の無線アクセス技術をコアネットワークＣにさらに報告し得る。関係する内容の詳細な説明については、例１から例４の関係する内容を参照されたい。
【０２９６】
任意選択で、ｅＮＢ０１がデータ量をコアネットワークＣに報告する前に、処理は、ｅＮＢ０１によって、同じ無線アクセス技術の同じＳＣＧまたはＳＣＧスプリットベアラについてデータ量を累積することをさらに含み得る。関係する内容の詳細な説明については、例１から例４の関係する内容を参照されたい。
【０２９７】
任意選択で、ｅＮＢ０１は、タイムスタンプをコアネットワークＣにさらに報告し得、タイムスタンプは、データ量Ｓの計数に対応する開始時間および終了時間を示すために使用される。関係する内容の詳細な説明については、例１から例４の関係する内容を参照されたい。
【０２９８】
任意選択で、ｅＮＢ０１は、ベアラタイプ、たとえば、ＳＣＧスプリットベアラまたはＳＣＧベアラをコアネットワークＣにさらに報告し得る。関係する内容の詳細な説明については、例１から例４の関係する内容を参照されたい。
【０２９９】
例７：マスタノードＡはｅＮＢ０１であり、２次ノードＢはｇＮＢ０１であり、コアネットワークＣはＥＰＣまたは５ＧＣであり、ネットワークは、端末０１のためにＳＣＧまたはＳＣＧスプリットベアラを確立する。ｇＮＢ０１は変更されないままであり、マスタノードＡは、ｅＮＢ０１からｅＮＢ０２にハンドオーバされる。
【０３００】
図１１に示されているように、
【０３０１】
Ｓ１１０１からＳ１１０８は、２次ノードを解放するためのいくつかのシグナリング対話処理を示す。処理または処理中のメッセージ名は、技術の発展とともにまたは異なるネットワークでは変わり得ることに留意されたい。これは本出願のこの実施形態では限定されない。
【０３０２】
Ｓ１１０１：ｅＮＢ０１が、ハンドオーバ要求メッセージをｅＮＢ０２に送信する。
【０３０３】
Ｓ１１０２：ｅＮＢ０２が、２次ノード追加要求メッセージをｇＮＢ０１に送信する。
【０３０４】
Ｓ１１０３：ｇＮＢ０１が、２次ノード追加要求肯定応答メッセージをｅＮＢ０２に送信する。
【０３０５】
Ｓ１１０４：ｅＮＢ０２が、ハンドオーバ要求肯定応答メッセージをｅＮＢ０１に送信する。
【０３０６】
Ｓ１１０５：ｅＮＢ０１が、２次ノード解放要求メッセージをｇＮＢ０１に送信する。
【０３０７】
Ｓ１１０６：ｅＮＢ０２が、２次ノード再構成完了メッセージをｇＮＢ０１に送信する。
【０３０８】
Ｓ１１０７：ｅＮＢ０１、ｇＮＢ０１、およびｅＮＢ０２が、ＳＮステータス伝送およびデータフォワーディングを完了する。
【０３０９】
Ｓ１１０８：ｅＮＢ０１、ｇＮＢ０１、ｅＮＢ０２、およびコアネットワークＣが、経路更新手順を完了する。
【０３１０】
Ｓ１１０９：ｅＮＢ０２が、端末コンテキスト解放メッセージをｅＮＢ０１に送信する。メッセージは、ｇＮＢ０１を介して伝送されるＳＣＧベアラまたはＳＣＧスプリットベアラのデータのデータ量をｅＮＢ０１に送信するようにｇＮＢ０１に命令するために使用される。
【０３１１】
Ｓ１１０１からＳ１１０９については、たとえば、非特許文献８の関係する内容を別々に参照されたい。
【０３１２】
Ｓ１１１０：ｅＮＢ０１が、端末コンテキスト解放メッセージをｇＮＢ０１に送信し、メッセージが、ｇＮＢ０１を介して伝送されるＳＣＧベアラまたはＳＣＧスプリットベアラのデータのデータ量をｅＮＢ０１に送信するようにｇＮＢ０１に命令するために使用される。
【０３１３】
Ｓ１１１１：ｇＮＢ０１が、ｇＮＢ０１を介して伝送されるＳＣＧベアラまたはＳＣＧスプリットベアラのデータのデータ量（すなわち、データ量Ｓ）を取得する。
【０３１４】
任意選択で、データ量Ｓは、アップリンク／ダウンリンクグラニュラリティに基づいて計数され得る（たとえば、Ｓ９０５）。関係する内容の詳細な説明については、例１から例４の関係する内容を参照されたい。
【０３１５】
任意選択で、データ量Ｓの計数（たとえば、Ｓ９０５）は、データヘッダオーバーヘッドを除外し得る。関係する内容の詳細な説明については、例１から例４の関係する内容を参照されたい。
【０３１６】
任意選択で、データ量Ｓは、ベアラグラニュラリティ、セッショングラニュラリティ、またはフローグラニュラリティに基づいて計数され得る（たとえば、Ｓ９０５）。関係する内容の詳細な説明については、例１から例４の関係する内容を参照されたい。
【０３１７】
データ量Ｓを取得したとき、ｇＮＢ０１は、データフォワーディングおよび経路更新をすでに完了しており、したがって、ｇＮＢ０１は、ｇＮＢ０１がデータ量Ｓを取得するときおよびその後に、端末０１とのデータ伝送をもはや実施しないことが保証され、それにより、データ量の精度が保証される。
【０３１８】
Ｓ１１１２：ｇＮＢ０１が、第１のメッセージをｅＮＢ０１に送信し、第１のメッセージがデータ量Ｓを含む。
【０３１９】
任意選択で、ｇＮＢ０１は、データ量Ｓに対応するベアラ識別子、フロー識別子、またはセッション識別子のうちの少なくとも１つをｅＮＢ０１に報告し得る（たとえば、Ｓ１１１２）。関係する内容の詳細な説明については、例１から例４の関係する内容を参照されたい。
【０３２０】
任意選択で、ｇＮＢ０１は、タイムスタンプをｅＮＢ０１にさらに報告し得（たとえば、Ｓ１１１２）、タイムスタンプは、データ量Ｓの計数に対応する開始時間および終了時間を示すために使用される。関係する内容の詳細な説明については、例１から例４の関係する内容を参照されたい。
【０３２１】
Ｓ１１１３：ｅＮＢ０１が、第２のメッセージをコアネットワークＣに送信し、第２のメッセージがデータ量Ｓを含む。
【０３２２】
任意選択で、ｅＮＢ０１は、データ量Ｓに対応するベアラ識別子、フロー識別子、またはセッション識別子のうちの少なくとも１つをコアネットワークＣにさらに報告し得る（たとえば、Ｓ１１１３）。関係する内容の詳細な説明については、例１から例４の関係する内容を参照されたい。
【０３２３】
任意選択で、ｅＮＢ０１は、ｇＮＢ０１の無線アクセス技術をコアネットワークＣにさらに報告し得る（たとえば、Ｓ１１１３）。関係する内容の詳細な説明については、例１から例４の関係する内容を参照されたい。
【０３２４】
任意選択で、ｅＮＢ０１がデータ量をコアネットワークＣに報告する（たとえば、Ｓ１１１３）前に、処理は、ｅＮＢ０１によって、同じ無線アクセス技術の同じＳＣＧまたはＳＣＧスプリットベアラについてデータ量を累積することをさらに含み得る。関係する内容の詳細な説明については、例１から例４の関係する内容を参照されたい。
【０３２５】
任意選択で、ｅＮＢ０１は、タイムスタンプをコアネットワークＣにさらに報告し得（たとえば、Ｓ１１１３）、タイムスタンプは、データ量Ｓの計数に対応する開始時間および終了時間を示すために使用される。関係する内容の詳細な説明については、例１から例４の関係する内容を参照されたい。
【０３２６】
任意選択で、ｅＮＢ０１は、ベアラタイプ、たとえば、ＳＣＧスプリットベアラまたはＳＣＧベアラをコアネットワークＣにさらに報告し得る（たとえば、Ｓ１１１３）。関係する内容の詳細な説明については、例１から例４の関係する内容を参照されたい。
【０３２７】
任意選択で、ｅＮＢ０１がデータ量をコアネットワークＣに報告する時（たとえば、Ｓ１１１３）に関し、いくつかの任意選択の実装があり得る。関係する内容の詳細な説明については、例１から例４の関係する内容を参照されたい。
【０３２８】
例８：マスタノードＡはｅＮＢ０１であり、２次ノードＢはｇＮＢ０１であり、コアネットワークＣはＥＰＣまたは５ＧＣであり、ネットワークは、端末０１のためにＳＣＧまたはＳＣＧスプリットベアラを確立する。
【０３２９】
図１２ａに示されているように、
【０３３０】
Ｓ１２０１からＳ１２０３は、既存の手順におけるメッセージを含み得るか、または新たに追加されたメッセージであり得る。これはこの実施形態では限定されない。
【０３３１】
Ｓ１２０１：ｅＮＢ０１が、第１のメッセージをｇＮＢ０１に送信し、メッセージが、ｇＮＢ０１を介して伝送されるＳＣＧベアラまたはＳＣＧスプリットベアラのデータのデータ量をｅＮＢ０１に送信するようにｇＮＢ０１に命令するために使用される。
【０３３２】
Ｓ１２０２：ｇＮＢ０１が、ｇＮＢ０１を介して伝送されるＳＣＧベアラまたはＳＣＧスプリットベアラのデータのデータ量を取得する。
【０３３３】
任意選択で、データ量Ｓは、アップリンク／ダウンリンクグラニュラリティに基づいて計数され得る（たとえば、Ｓ１２０２）。関係する内容の詳細な説明については、例１から例４の関係する内容を参照されたい。
【０３３４】
任意選択で、データ量Ｓの計数（たとえば、Ｓ１２０２）は、データヘッダオーバーヘッドを除外し得る。関係する内容の詳細な説明については、例１から例４の関係する内容を参照されたい。
【０３３５】
任意選択で、データ量Ｓは、ベアラグラニュラリティ、セッショングラニュラリティ、またはフローグラニュラリティに基づいて計数され得る（たとえば、Ｓ１２０２）。関係する内容の詳細な説明については、例１から例４の関係する内容を参照されたい。
【０３３６】
任意選択で、ｇＮＢ０１は、データ量Ｓを取得した後に、端末０１とのデータ伝送をもはや実施せず、それにより、データ量の精度を保証する。
【０３３７】
Ｓ１２０３：ｇＮＢ０１が、第２のメッセージをｅＮＢ０１に送信し、第２のメッセージがデータ量Ｓを含む。
【０３３８】
任意選択で、ｇＮＢ０１は、データ量Ｓに対応するベアラ識別子、フロー識別子、またはセッション識別子のうちの少なくとも１つをｅＮＢ０１に報告し得る（たとえば、Ｓ１２０３）。関係する内容の詳細な説明については、例１から例４の関係する内容を参照されたい。
【０３３９】
任意選択で、ｇＮＢ０１は、タイムスタンプをｅＮＢ０１にさらに報告し得（たとえば、Ｓ１２０３）、タイムスタンプは、データ量Ｓの計数に対応する開始時間および終了時間を示すために使用される。関係する内容の詳細な説明については、例１から例４の関係する内容を参照されたい。
【０３４０】
Ｓ１２０４：ｅＮＢ０１が、第３のメッセージをコアネットワークＣに送信し、第３のメッセージが、データ量と、データ量に対応するベアラ識別子またはセッション識別子のうちの少なくとも１つとを含む。
【０３４１】
任意選択で、ｅＮＢ０１は、データ量Ｓに対応するベアラ識別子、フロー識別子、またはセッション識別子のうちの少なくとも１つをコアネットワークＣにさらに報告し得る（たとえば、Ｓ１２０４）。関係する内容の詳細な説明については、例１から例４の関係する内容を参照されたい。
【０３４２】
任意選択で、ｅＮＢ０１は、ｇＮＢ０１の無線アクセス技術をコアネットワークＣにさらに報告し得る（たとえば、Ｓ１２０４）。関係する内容の詳細な説明については、例１から例４の関係する内容を参照されたい。
【０３４３】
任意選択で、ｅＮＢ０１がデータ量をコアネットワークＣに報告する（たとえば、Ｓ１２０４）前に、処理は、ｅＮＢ０１によって、同じ無線アクセス技術の同じＳＣＧまたはＳＣＧスプリットベアラについてデータ量を累積することをさらに含み得る。関係する内容の詳細な説明については、例１から例４の関係する内容を参照されたい。
【０３４４】
任意選択で、ｅＮＢ０１は、タイムスタンプをコアネットワークＣにさらに報告し得（たとえば、Ｓ１２０４）、タイムスタンプは、データ量Ｓの計数に対応する開始時間および終了時間を示すために使用される。関係する内容の詳細な説明については、例１から例４の関係する内容を参照されたい。
【０３４５】
任意選択で、ｅＮＢ０１は、ベアラタイプ、たとえば、ＳＣＧスプリットベアラまたはＳＣＧベアラをコアネットワークＣにさらに報告し得る（たとえば、Ｓ１２０４）。関係する内容の詳細な説明については、例１から例４の関係する内容を参照されたい。
【０３４６】
任意選択で、ｅＮＢ０１がデータ量をコアネットワークＣに報告する時（たとえば、Ｓ１２０４）に関し、いくつかの任意選択の実装があり得る。関係する内容の詳細な説明については、例１から例４の関係する内容を参照されたい。
【０３４７】
解決策３は、２次ベアラまたは２次スプリットベアラにも適用可能であることに留意されたい。たとえば、マスタノードＡはｇＮＢであり、２次ノードＢはｅＮＢであり、コアネットワークＣはＥＰＣもしくは５ＧＣであるか、またはマスタノードＡはｅＮＢであり、２次ノードＢはＷＴであり、コアネットワークＣはＥＰＣであるか、またはマスタノードＡはｇＮＢであり、２次ノードＢはＷＴであり、コアネットワークＣは５ＧＣである。これは本出願のこの実施形態では限定されない。
【０３４８】
解決策３において提供される方法について、マスタノード側の観点、２次ノード側の観点、およびコアネットワーク側の観点から別々に以下で説明される。
【０３４９】
以下は、マスタノード側の観点から説明される解決策３の方法である。方法Ｍ５は以下のステップを含む。
【０３５０】
Ｍ５０１：２次ノード上のベアラが解放されるとき、２次ノードが、２次ノードを介して伝送される２次ベアラまたは２次スプリットベアラのデータ量を取得する。
【０３５１】
Ｍ５０１の関係する説明については、Ｓ８０８、Ｓ９０５、Ｓ１００３、Ｓ１１１１、およびＳ１２０２を参照されたい。
【０３５２】
Ｍ５０２：２次ノードが、第１のメッセージをマスタノードに送信し、第１のメッセージが、２次ノードを介して伝送される２次ベアラまたは２次スプリットベアラのデータ量を示すために使用される。
【０３５３】
Ｍ５０２の関係する説明については、Ｓ８０９、Ｓ９０６、Ｓ１００４、Ｓ１１１２、およびＳ１２０３を参照されたい。
【０３５４】
以下は、マスタノード側の観点から説明される解決策３の方法である。方法Ｍ６は以下のステップを含む。
【０３５５】
Ｍ６０１：２次ノード上のベアラが解放されるとき、マスタノードが、２次ノードによって送信された第１のメッセージを受信し、第１のメッセージが、２次ノードを介して伝送される２次ベアラまたは２次スプリットベアラのデータのデータ量を示すために使用される情報を含む。
【０３５６】
Ｍ６０１の関係する説明については、Ｓ８０８、Ｓ９０５、Ｓ１００３、Ｓ１１１１、およびＳ１２０２を参照されたい。
【０３５７】
Ｍ６０２：マスタノードが、第２のメッセージをコアネットワークに送信し、第１のメッセージが、２次ノードを介して伝送される２次ベアラまたは２次スプリットベアラのデータのデータ量を示すために使用される情報を含む。
【０３５８】
Ｍ６０２の関係する説明については、Ｓ８１０、Ｓ９０７、Ｓ１００５、Ｓ１１１３、およびＳ１２０４を参照されたい。
【０３５９】
以下は、コアネットワーク側の観点から説明される解決策３の方法である。方法Ｍ７は以下のステップを含む。
【０３６０】
Ｍ７０１：２次ノード上のベアラが解放されるとき、コアネットワーク中のネットワーク要素が、マスタノードから第２のメッセージを受信し、第２のメッセージが、２次ノードを介して伝送される２次ベアラまたは２次スプリットベアラのデータのデータ量を示すために使用される情報を含む。
【０３６１】
Ｍ７０１の関係する説明については、Ｓ８１０、Ｓ９０７、Ｓ１００５、Ｓ１１１３、およびＳ１２０４を参照されたい。
【０３６２】
Ｍ７０２：コアネットワーク中のネットワーク要素が、２次ベアラまたは２次スプリットベアラの伝送されるデータのデータ量、および２次ノードを介して伝送される２次ベアラまたは２次スプリットベアラのデータのデータ量に基づいて、マスタノードを介して伝送される２次スプリットベアラのデータのデータ量に関する情報を取得する。
【０３６３】
解決策３は、マスタスプリットベアラにも適用可能であることに留意されたい。図１４は、マスタスプリットベアラの概略図である。図１４に示されているように、端末０１のためにコアネットワークＣとマスタノードＡとの間のユーザプレーン接続が確立され、マスタノードＡと端末０１との間のユーザプレーン接続が確立され、２次ノードＢと端末０１との間のユーザプレーン接続が確立される。ダウンリンクデータがあるとき、コアネットワークＣは、ベアラのすべてのデータをマスタノードＡに送信し、マスタノードＡは、データの一部を２次ノードＢに送信し、２次ノードＢは、データのその一部を端末０１に送信し、マスタノードＡは、残りのデータを端末０１に送信する。アップリンクデータがあるとき、端末０１は、ベアラのデータの一部をマスタノードＡに送信し得、端末０１は、ベアラの残りのデータを２次ノードＢに送信し、２次ノードＢは、その残りのデータをマスタノードＡに送信し、マスタノードＡは、ベアラの受信されたデータのすべてをコアネットワークＣに送信する。任意選択で、端末０１が、ベアラのすべてのデータを２次ノードＢに送信し、２次ノードＢが、ベアラのすべてのデータをマスタノードＡに送信することが構成され得るか、または端末０１が、ベアラのすべてのデータをマスタノードＡに送信することが構成され得る。マスタスプリットベアラの関係する内容については、たとえば、非特許文献９の関係する内容を参照されたい。
【０３６４】
解決策３では、同様に、２次ノードＢは、２次ノードＢを介して伝送されるマスタスプリットベアラのデータ量をマスタノードＡに送信し得、マスタノードＡは、データ量をコアネットワークＣに報告する。コアネットワークは、２次ノードＢを介して伝送されるマスタスプリットベアラのデータ量に従って、マスタノードＡを介して伝送されるベアラのデータ量について知り、それにより、データ量を正確に計数し得る。
【０３６５】
例では、解決策１から解決策３において、マスタノードＡは、表１から表６に示されている例に基づいてデータ量をコアネットワークＣに報告し得る。
【０３６６】
【表１】
2020526081.tif 000003
【０３６７】
【表２】
2020526081.tif 000004
【０３６８】
【表３】
2020526081.tif 000005
【０３６９】
【表４】
2020526081.tif 000006
【０３７０】
【表５】
2020526081.tif 000007
【０３７１】
【表６】
2020526081.tif 000008
【０３７２】
本出願の実施形態で提供される方法について、解決策１から解決策３に関して上記で説明された（以下では方法実施形態と呼ばれる）。本出願の実施形態で提供される通信装置について以下でさらに説明される。
【０３７３】
本出願の実施形態はネットワークデバイス１２００を提供する。ネットワークデバイスは、図１に示されているネットワーク中の２次ノードＢであり得、２次ノードＢによって実施される方法を実施し得る。図１２ｂに示されているように、
【０３７４】
ネットワークデバイス１２００は、１つまたは複数のリモート無線ユニット（英語：ｒｅｍｏｔｅ  ｒａｄｉｏ  ｕｎｉｔ、略してＲＲＵ）１２０１、および１つまたは複数のベースバンドユニット（英語：ｂａｓｅｂａｎｄ  ｕｎｉｔ、略してＢＢＵ）１２０２を含む。ＲＲＵ１２０１は、トランシーバユニット、トランシーバ機械、トランシーバ回路、トランシーバなどと呼ばれることがある。ＲＲＵ１２０１は、少なくとも１つのアンテナ１２０３、および無線周波数ユニット１２０４を含み得る。ＲＲＵ１２０１は、無線周波数信号伝送および受信を実施し、無線周波数信号とベースバンド信号との間の変換を実施するように部分的に構成される。ＢＢＵ１２０２は、ベースバンド処理を実施すること、ネットワークデバイスを制御することなどを行うように部分的に構成される。ＲＲＵ１２０１およびＢＢＵ１２０２は、物理的に一緒に配設され得るか、または物理的に別々に配設され得、すなわち、ネットワークデバイス１２００は分散ネットワークデバイスである。
【０３７５】
ＢＢＵ１２０２は、ネットワークデバイスの制御センターであり、処理ユニットと呼ばれることもある。ＢＢＵ１２０２は、チャネル符号化、多重化、変調、およびスペクトル拡散など、ベースバンド処理機能を実施するように主に構成される。たとえば、ＢＢＵ（処理ユニット）は、上記の方法実施形態における２次ノードＢによって実施される方法を実施するようにネットワークデバイスを制御するように構成され得る。
【０３７６】
例では、ＢＢＵ１２０２は、１つまたは複数のボードを含み得る。複数のボードは、単一の無線アクセス技術を有する無線アクセスネットワーク（たとえば、ＬＴＥネットワークもしくはＮＲネットワーク）を一緒にサポートし得るか、または異なる無線アクセス技術を有する無線アクセスネットワーク（たとえば、ＬＴＥネットワーク、ＮＲネットワーク、もしくは別のネットワーク）を別々にサポートし得る。ＢＢＵ１２０２は、メモリ１０２５およびプロセッサ１２０６をさらに含む。メモリ１０２５は、必要な命令および必要なデータを記憶するように構成される。プロセッサ１２０６は、必要なアクションを実施するようにネットワークデバイスを制御するように、たとえば、上記の方法実施形態における２次ノードＢによって実施される方法を実施するようにネットワークデバイスを制御するように構成される。メモリ１０２５およびプロセッサ１２０６は、１つまたは複数のボードをサービスし得る。言い換えれば、メモリおよびプロセッサは、各ボード上に独立して配設され得る。代替として、複数のボードは、同じメモリおよび同じプロセッサを共有し得る。加えて、必要な回路が各ボード上にさらに配設され得る。
【０３７７】
アップリンクでは、端末デバイスによって送信された（データなどを含む）アップリンク信号が、アンテナ１２０３を介して受信される。ダウンリンクでは、（データおよび／または制御情報を含む）ダウンリンク信号が、アンテナ１２０３を介して端末デバイスに送信される。プロセッサ１２０６は、サービスデータおよびシグナリングメッセージを処理する。これらのユニットは、無線アクセスネットワークにおいて使用される無線アクセス技術（たとえば、ＬＴＥ、ＮＲ、および別の発展型システムのアクセス技術）に基づいて処理を実施する。プロセッサ１２０６は、ネットワークデバイスのアクションを制御し、管理するようにさらに構成され、上記の方法実施形態における２次ノードＢによって実施される処理を実施するように構成される。
【０３７８】
図１２ｂは、ネットワークデバイスの簡略化された設計を示すにすぎないことが理解されよう。実際の適用例では、ネットワークデバイスは、任意の量のアンテナ、メモリ、プロセッサ、無線周波数ユニット、ＲＲＵ、ＢＢＵなどを含み得る。本出願を実装することができるすべてのネットワークデバイスは、本出願の保護範囲内に入る。
【０３７９】
本出願の実施形態は別の通信装置１３００を提供する。この通信装置は、上記の方法実施形態におけるマスタノードＡによって実施される方法を実施し得る。
【０３８０】
図１３に示されているように、
【０３８１】
通信装置１３００は、上記の方法実施形態におけるマスタノードＡによって実施される方法Ｍ１、Ｍ３、またはＭ５を実施するように構成された、処理システム１３０７を含む。処理システム１３０７は回路であり得、回路はチップによって実装され得る。
【０３８２】
処理システム１３０７は、１つまたは複数のプロセッサ１３０１を含む。プロセッサ１３０１は、汎用プロセッサまたは専用プロセッサであり得、たとえば、ベースバンドプロセッサまたは中央処理ユニットであり得る。プロセッサ１３０１は、代替として、ベースバンドプロセッサまたは中央処理ユニットの機能を組み込み得る。ベースバンドプロセッサは、通信プロトコルおよび通信データを処理するように主に構成される。ベースバンドプロセッサは、ベースバンド処理回路またはベースバンド処理チップと呼ばれることもある。中央処理ユニットは、通信装置全体（たとえば、チップ、ネットワークデバイス、または端末デバイス）を制御し、ソフトウェアプログラムを実行し、ソフトウェアプログラムのデータを処理するように主に構成される。中央処理ユニットは、中央処理回路または中央処理チップと呼ばれることもある。１つまたは複数のプロセッサ１３０１は、方法Ｍ１、Ｍ３、またはＭ５を実施し得る。
【０３８３】
プロセッサ１３０１は、計算処理能力を有する以下の構成要素のいずれか１つであり得る：中央処理ユニット（英語：Ｃｅｎｔｒａｌ  Ｐｒｏｃｅｓｓｉｎｇ  Ｕｎｉｔ、略してＣＰＵ）、ＡＲＭプロセッサ（ＡＭＲの英語の完全な名称はＡｄｖａｎｃｅｄ  ＲＩＳＣ  Ｍａｃｈｉｎｅｓであり、ＲＩＳＣの英語の完全な名称はＲｅｄｕｃｅｄ  Ｉｎｓｔｒｕｃｔｉｏｎ  Ｓｅｔ  Ｃｏｍｐｕｔｉｎｇであり、中国語では精簡指令集計算と訳される）、フィールドプログラマブルゲートアレイ（英語：Ｆｉｅｌｄ  Ｐｒｏｇｒａｍｍａｂｌｅ  Ｇａｔｅ  Ａｒｒａｙ、略してＦＰＧＡ）、および専用プロセッサ。任意選択で、プロセッサ１３０１は多コアプロセッサとして組み込まれ得る。
【０３８４】
任意選択の設計では、プロセッサ１３０１は命令１３０３を含み得、命令１３０３はプロセッサ１３０１上で走らされ得、それにより、通信装置１３００は、方法Ｍ１、Ｍ３、またはＭ５を実施する。
【０３８５】
任意選択の設計では、処理システム１３０７は、１つまたは複数のメモリ１３０２を含み得、メモリ１３０２は、バス１３０６を介してプロセッサ１３０３に接続される。メモリ１３０２は命令１３０４を記憶し、命令１３０４はプロセッサ１３０１上で走らされ得、それにより、通信装置１３００は、方法Ｍ１、Ｍ３、またはＭ５を実施する。任意選択で、メモリ１３０２はデータをさらに記憶し得る。任意選択で、プロセッサ１３０１は、命令および／またはデータをさらに記憶し得る。たとえば、１つまたは複数のメモリ１３０２は、上記の方法実施形態における命令およびデータを記憶し得る。プロセッサ１３０１およびメモリ１３０２は、別々に配設され得るか、または互いに一体化され得る。
【０３８６】
メモリ１３０２は、以下の記憶媒体のいずれか１つまたは任意の組合せであり得る：ランダムアクセスメモリ（英語：Ｒａｎｄｏｍ  Ａｃｃｅｓｓ  Ｍｅｍｏｒｙ、略してＲＡＭ）、読取り専用メモリ（英語：ｒｅａｄ  ｏｎｌｙ  ｍｅｍｏｒｙ、略してＲＯＭ）、不揮発性メモリ（英語：ｎｏｎ−ｖｏｌａｔｉｌｅ  ｍｅｍｏｒｙ、略してＮＶＭ）、ソリッドステートドライブ（英語：Ｓｏｌｉｄ  Ｓｔａｔｅ  Ｄｒｉｖｅ、略してＳＳＤ）、機械式ハードディスク、磁気ディスク、ディスクアレイなど。
【０３８７】
バス１３０６は、アドレスバス、データバス、制御バスなどを含み得る。表記しやすいように、バスは、図１３では太線を使用することによって表される。バス１３０６は、ワイヤードデータ伝送のための以下の構成要素のいずれか１つまたは任意の組合せであり得る：業界標準アーキテクチャ（英語：Ｉｎｄｕｓｔｒｙ  Ｓｔａｎｄａｒｄ  Ａｒｃｈｉｔｅｃｔｕｒｅ、略してＩＳＡ）バス、周辺構成要素相互接続（英語：Ｐｅｒｉｐｈｅｒａｌ  Ｃｏｍｐｏｎｅｎｔ  Ｉｎｔｅｒｃｏｎｎｅｃｔ、略してＰＣＩ）バス、拡張業界標準アーキテクチャ（英語：Ｅｘｔｅｎｄｅｄ  Ｉｎｄｕｓｔｒｙ  Ｓｔａｎｄａｒｄ  Ａｒｃｈｉｔｅｃｔｕｒｅ、略してＥＩＳＡ）バスなど。
【０３８８】
任意選択の設計では、処理システム１３０７はトランシーバユニット１３０５をさらに含み得、トランシーバユニット１３０５は、バス１３０６を介してプロセッサ１３０３に接続される。トランシーバユニット１３０５はチップの入出力回路であり得、トランシーバユニット１３０５は、別の通信ユニット（たとえば、無線周波数チップまたはネットワークデバイス中の別のユニット）とデータを交換し得る。
【０３８９】
任意選択の設計では、通信装置１３００はアンテナ１３０７をさらに含み得、アンテナ１３０７はトランシーバユニット１３０５に接続され得る。通信装置１３００はネットワークデバイス（たとえば、マスタノードＡ）であり得る。トランシーバユニット１３０５は無線周波数ユニットであり得る。トランシーバユニット１３０５は、アンテナ１３０７を介して通信装置１３００と別のデバイスとの間でデータ交換を実装し得る。たとえば、通信装置１３００がマスタノードＡであるとき、通信装置１３００のトランシーバユニット１３０５は、アンテナ１３０７を介して２次ノードＢとデータを交換し得る。
【０３９０】
任意選択の設計では、プロセッサ１３０１は処理ユニットと見なされ得、メモリ１３０２は記憶ユニットと見なされ得る。通信装置１３００は処理ユニットを含み得る。通信装置１３００は、記憶ユニットまたはトランシーバユニットのうちの少なくとも１つをさらに含み得る。
【０３９１】
本出願の実施形態はコンピュータ可読記憶媒体をさらに提供する。上記の方法実施形態において説明される方法の全部または一部は、ソフトウェア、ハードウェア、ファームウェア、またはそれらの任意の組合せを使用することによって実装され得る。機能がソフトウェアにおいて実装される場合、機能は、コンピュータ可読媒体に記憶されるかまたはコンピュータ可読媒体を介して転送される１つまたは複数の命令またはコードとして使用され得る。コンピュータ可読媒体は、コンピュータ記憶媒体および通信媒体を含み得、ある場所から別の場所にコンピュータプログラムが伝送されることを可能にする任意の媒体をさらに含み得る。記憶媒体は、コンピュータによってアクセスされることが可能な任意の利用可能な媒体であり得る。
【０３９２】
任意選択の設計では、コンピュータ可読媒体は、ＲＡＭ、ＲＯＭ、ＥＥＰＲＯＭ、ＣＤ−ＲＯＭもしくは別のコンパクトディスク（ｄｉｓｃ）メモリ、磁気ディスク（ｄｉｓｋ）メモリもしくは別の磁気ディスク記憶デバイス、または命令もしくはデータ構造の形態で期待されるプログラムコードを搬送もしくは記憶するために使用されることが可能であり、コンピュータによってアクセスされることが可能である任意の他の媒体を含み得る。加えて、いかなる接続もコンピュータ可読媒体と適切に呼ばれ得る。たとえば、ソフトウェアが、同軸ケーブル、光ファイバーケーブル、ツイストペア、デジタル加入者線（ＤＳＬ）、または（赤外線、無線、およびマイクロ波などの）無線技術を使用することによってウェブサイト、サーバ、または別のリモートソースから伝送される場合、同軸ケーブル、光ファイバーケーブル、ツイストペア、ＤＳＬ、または（赤外線、無線、およびマイクロ波などの）無線技術は、媒体の定義中に含まれる。本明細書において使用される磁気ディスクおよびコンパクトディスクは、コンパクトディスク（ＣＤ）、レーザーディスク（ｄｉｓｋ）、光ディスク（ｄｉｓｃ）、デジタル多用途ディスク（ｄｉｓｃ）（ＤＶＤ）、フロッピーディスク（ｄｉｓｋ）、およびＢｌｕ−ｒａｙディスク（ｄｉｓｃ）を含む。磁気ディスクは、通常、データを磁気的に再生し、コンパクトディスクは、レーザーを使用することによってデータを光学的に再生する。上記の組合せもコンピュータ可読媒体の範囲内に含まれるべきである。
【０３９３】
本出願の実施形態はコンピュータプログラム製品をさらに提供する。上記の方法実施形態において説明される方法の全部または一部は、ソフトウェア、ハードウェア、ファームウェア、またはそれらの任意の組合せを使用することによって実装され得る。方法がソフトウェアにおいて実装されるとき、全部または一部の方法は、コンピュータプログラム製品の形態で実装され得る。コンピュータプログラム製品は、１つまたは複数のコンピュータ命令を含む。コンピュータプログラム命令がコンピュータ上にロードされ、実行されたとき、上記の方法実施形態による手順または機能の全部または一部が生成される。上記のコンピュータは、汎用コンピュータ、専用コンピュータ、コンピュータネットワーク、ネットワークデバイス、ユーザ機器、または別のプログラマブル装置であり得る。
【図１】
2020526081.tif 000009
【図２】
2020526081.tif 000010
【図３】
2020526081.tif 000011
【図４】
2020526081.tif 000012
【図５】
2020526081.tif 000013
【図６】
2020526081.tif 000014
【図７】
2020526081.tif 000015
【図８ａ】
2020526081.tif 000016
【図８ｂ】
2020526081.tif 000017
【図９】
2020526081.tif 000018
【図１０】
2020526081.tif 000019
【図１１】
2020526081.tif 000020
【図１２ａ】
2020526081.tif 000021
【図１２ｂ】
2020526081.tif 000022
【図１３】
2020526081.tif 000023
【図１４】
2020526081.tif 000024
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
第１のネットワークデバイスにより、第２のネットワークデバイスから第１のメッセージを受信するステップであって、前記第１のメッセージは、コアネットワークデバイスから前記第２のネットワークデバイスに送信され、および前記第２のネットワークデバイスから端末に送信される第１のデータの第１のデータ量、ならびに前記端末から前記第２のネットワークデバイスに送信され、および前記第２のネットワークデバイスから前記コアネットワークデバイスに送信される第２のデータの第２のデータ量の一方または両方を示す第１の情報を含み、前記第１のデータおよび前記第２のデータはベアラのデータ、フローのデータ、およびセッションのデータのうちの１つである、ステップと、
前記第１のネットワークデバイスにより、第２のメッセージを前記コアネットワークデバイスに送信するステップであって、前記第２のメッセージは、前記第１のデータ量および前記第２のデータ量の一方または両方を示す第２の情報を含む、ステップと
を含み、前記第１のネットワークデバイスはマスタノードであり、前記第２のネットワークデバイスは２次ノードであり、共に前記端末に接続する、通信方法。
【請求項２】
前記第１のデータおよび前記第２のデータは、パケットデータコンバージェンスプロトコル、ＰＤＣＰヘッダ、無線リンク制御、ＲＬＣヘッダ、メディアアクセス制御、ＭＡＣヘッダ、およびサービスデータ適応プロトコル、ＳＤＡＰヘッダが存在しない、請求項１に記載の方法。
【請求項３】
前記ベアラは、２次セルグループ、ＳＣＧベアラまたはＳＣＧスプリットベアラである、請求項１または２に記載の方法。
【請求項４】
前記第１のメッセージおよび前記第２のメッセージの一方または両方は、前記ベアラのベアラ識別子を含み、前記第１のデータおよび前記第２のデータは前記ベアラのデータであり、または
前記第１のメッセージおよび前記第２のメッセージの一方または両方は、前記フローのフロー識別子を含み、前記第１のデータおよび前記第２のデータは前記フローのデータであり、または
前記第１のメッセージおよび前記第２のメッセージの一方または両方は、前記セッションのセッション識別子を含み、前記第１のデータおよび前記第２のデータは前記セッションのデータである、請求項１から３のいずれか１項に記載の方法。
【請求項５】
前記第１のメッセージおよび前記第２のメッセージの一方または両方はタイムスタンプをさらに含み、前記タイムスタンプは、前記第１のデータ量および前記第２のデータ量の一方または両方をカウントするための開始時間および終了時間を示すために使用される、請求項１から４のいずれか一項に記載の方法。
【請求項６】
前記第２のメッセージは、前記第２のネットワークデバイスの無線アクセス技術の識別子をさらに含む、請求項１から５のいずれか一項に記載の方法。
【請求項７】
前記第１のネットワークデバイスにより、前記第２のメッセージを前記コアネットワークデバイスに送信するステップは、
前記第１のネットワークデバイスにより、前記第２のメッセージを前記コアネットワークデバイスに周期的に送信するステップを含む、請求項１から６のいずれか一項に記載の方法。
【請求項８】
前記第１のネットワークデバイスは、２次ノードハンドオーバ手順、２次ノード解放手順、２次ノード構成修正手順、またはマスタノードハンドオーバ手順において前記第１のメッセージを受信する、請求項１から７のいずれか一項に記載の方法。
【請求項９】
第２のネットワークデバイスにより、コアネットワークデバイスから前記第２のネットワークデバイスに送信され、および前記第２のネットワークデバイスから端末に送信される第１のデータの第１のデータ量、ならびに前記端末から前記第２のネットワークデバイスに送信され、および前記第２のネットワークデバイスから前記コアネットワークデバイスに送信される第２のデータの第２のデータ量の一方または両方を取得するステップであって、前記第１のデータおよび前記第２のデータは、ベアラのデータ、フローのデータ、およびセッションのデータのうちの１つである、ステップと、
前記第２のネットワークデバイスにより、第１のネットワークデバイスに、前記第１のデータ量および前記第２のデータ量の一方または両方を示す情報を含む第１のメッセージを送信するステップと
を含み、前記第１のネットワークデバイスはマスタノードであり、前記第２のネットワークデバイスは２次ノードであり、共に前記端末に接続する、通信方法。
【請求項１０】
前記第１のデータおよび前記第２のデータは、ＰＤＣＰヘッダ、ＲＬＣヘッダ、ＭＡＣヘッダ、およびＳＤＡＰヘッダが存在しない、請求項９に記載の方法。
【請求項１１】
前記ベアラは、２次セルグループ、ＳＣＧベアラまたはＳＣＧスプリットベアラである、請求項８または９に記載の方法。
【請求項１２】
前記第１のメッセージは、前記ベアラのベアラ識別子をさらに含み、前記第１のデータおよび前記第２のデータは、前記ベアラのデータであり、または
前記第１のメッセージは、前記フローのフロー識別子をさらに含み、前記第１のデータおよび前記第２のデータは、前記フローのデータであり、または
前記第１のメッセージは、前記セッションのセッション識別子をさらに含み、前記第１のデータおよび前記第２のデータは、前記セッションのデータである、請求項９から１１のいずれか一項に記載の方法。
【請求項１３】
前記第１のデータおよび前記第２のデータは前記ベアラのデータであり、前記第２のネットワークデバイスと前記端末との間の前記ベアラの送信が停止した後、前記第２のネットワークデバイスは前記第１のメッセージを前記第１のネットワークデバイスに送信し、または
前記第１のデータおよび前記第２のデータは前記フローのデータであり、前記第２のネットワークデバイスと前記端末との間の前記フローの送信が停止した後、前記第２のネットワークデバイスは前記第１のメッセージを前記第１のネットワークデバイスに送信し、または
前記第１のデータおよび前記第２のデータは前記セッションのデータであり、前記第２のネットワークデバイスと前記端末との間の前記セッションの送信が停止した後、前記第２のネットワークデバイスは前記第１のネットワークデバイスに前記第１のメッセージを送信する、請求項９から１２のいずれか一項に記載の方法。
【請求項１４】
前記第１のメッセージはタイムスタンプをさらに含み、前記タイムスタンプは、前記第１のデータ量および前記第２のデータ量の一方または両方をカウントするための開始時間および終了時間を示すために使用される、請求項９から１３のいずれか一項に記載の方法。
【請求項１５】
前記第２のネットワークデバイスは、２次ノードハンドオーバ手順、２次ノード解放手順、２次ノード構成修正手順、またはマスタノードハンドオーバ手順において前記第１のメッセージを送信する、請求項９から１４のいずれか一項に記載の方法。
【請求項１６】
コアネットワークデバイスにより、第１のネットワークデバイスからメッセージを受信するステップであって、前記メッセージは、前記コアネットワークデバイスから第２のネットワークデバイスへ送信され、および前記第２のネットワークデバイスから端末に送信される第１のデータの第１のデータ量、ならびに前記端末から前記第２のネットワークデバイスに送信され、および前記第２のネットワークデバイスから前記コアネットワークデバイスに送信される第２のデータの第２のデータ量の一方または両方を示す情報を含み、前記第１のデータおよび前記第２のデータは、ベアラのデータ、フローのデータ、およびセッションのデータのうちの１つである、ステップと、
前記コアネットワークデバイスにより、前記第１のデータ量および前記第２のデータ量の一方または両方を取得するステップと
を含み、前記第１のネットワークデバイスはマスタノードであり、前記第２のネットワークデバイスは２次ノードであり、共に前記端末に接続する、通信方法。
【請求項１７】
前記第１のデータおよび前記第２のデータは、ＰＤＣＰヘッダ、ＲＬＣヘッダ、ＭＡＣヘッダ、およびＳＤＡＰヘッダが存在しない、請求項１６に記載の方法。
【請求項１８】
前記ベアラは、ＳＣＧベアラまたはＳＣＧスプリットベアラである、請求項１６または１７に記載の方法。
【請求項１９】
前記メッセージは前記ベアラのベアラ識別子を含み、前記第１のデータおよび前記第２のデータは前記ベアラのデータであり、または
前記メッセージは前記フローのフロー識別子を含み、前記第１のデータおよび前記第２のデータは前記フローのデータであり、または
前記メッセージは前記セッションのセッション識別子を含み、前記第１のデータおよび前記第２のデータは前記セッションのデータである、請求項１６から１８のいずれか一項に記載の方法。
【請求項２０】
前記メッセージはタイムスタンプをさらに含み、前記タイムスタンプは前記第１のデータ量および前記第２のデータ量の一方または両方をカウントするための開始時間および終了時間を示すために使用される、請求項１６から１９のいずれか一項に記載の方法。
【請求項２１】
前記メッセージは前記第２のネットワークデバイスの無線アクセス技術の識別子をさらに含む、請求項１６から２０のいずれか一項に記載の方法。
【請求項２２】
コアネットワークデバイスにより、前記第１のネットワークデバイスから前記メッセージを受信するステップは、前記コアネットワークデバイスにより、前記メッセージを前記第１のネットワークデバイスから周期的に受信するステップを含む、請求項１６から２１のいずれか一項に記載の方法。
【請求項２３】
プロセッサを備える通信装置であって、前記プロセッサはメモリに結合され、前記メモリはコンピュータプログラムおよび命令のうちの１つを記憶するように構成され、前記プロセッサは、前記通信装置が請求項１から８のいずれか一項に記載の方法を実行するように、前記メモリ内の前記コンピュータプログラムおよび前記命令のうちの１つを実行するように構成される、通信装置。
【請求項２４】
通信装置であって、プロセッサを備え、前記プロセッサはメモリに結合され、前記メモリはコンピュータプログラムおよび命令のうちの一方を記憶するように構成され、前記プロセッサは、前記通信装置が請求項９から１５のいずれか一項に記載の方法を実行するように、前記メモリ内の前記コンピュータプログラムおよび前記命令のうちの一方を実行するように構成されることを特徴とする、通信装置。
【請求項２５】
プロセッサを備える通信装置であって、前記プロセッサはメモリに結合され、前記メモリはコンピュータプログラムおよび命令のうちの１つを記憶するように構成され、前記プロセッサは、前記通信装置が請求項１６から２２のいずれか一項に記載の方法を実行するように、前記メモリ内の前記コンピュータプログラムおよび前記命令のうちの１つを実行するように構成される、通信装置。
【請求項２６】
請求項１から８のいずれか一項に記載の方法を実装するための手段を備える、装置。
【請求項２７】
請求項９から１５のいずれか一項に記載の方法を実装するための手段を備える、装置。
【請求項２８】
請求項１６から２２のいずれか一項に記載の方法を実装するための手段を備える、装置。
【請求項２９】
コンピュータ可読記憶媒体であって、コンピュータソフトウェア命令を記憶するように構成され、前記コンピュータソフトウェア命令が実行されると、請求項１から２２のいずれか一項に記載の方法が実装される、コンピュータ可読記憶媒体。
【請求項３０】
通信システムであって、
請求項１から８のいずれか一項に記載の方法を実装するように構成された第１のネットワークデバイス、および請求項９から１５のいずれか一項に記載の方法を実装するように構成された第２のネットワークデバイス、または
請求項１から８のいずれか一項に記載の方法を実装するように構成された第１のネットワークデバイス、および請求項１６から２２のいずれか一項に記載の方法を実装するように構成されたコアネットワークデバイス
を備える、通信システム。
【国際調査報告】
2020526081.tif 000025
2020526081.tif 000026
2020526081.tif 000027
2020526081.tif 000028